(57)【要約】【課題】  ユーザに熟考させることなくコンテンツの取得を行なわせることができるコンテンツ配信装置と記憶媒体とコンテンツ出力装置とを提供する。【解決手段】  ＩＣカード４０は、情報を記憶する記憶媒体であって、コンテンツを記憶するとともに、コンテンツがコンテンツ出力装置である閲覧端末５０によって出力されたか否かを示す出力情報を記憶し、配信サーバ１０はコンテンツを配信するコンテンツ配信装置であって、出力情報を取得し、出力情報がコンテンツが出力されたことを示している場合、コンテンツが出力されたことに対する課金処理を行なう。【選択図】      図１
2006113685.tif 000002
【特許請求の範囲】
【請求項１】
コンテンツを配信するコンテンツ配信装置と、情報を記憶する記憶媒体と、前記記憶媒体に記憶された情報を出力するコンテンツ出力装置とを備え、
前記記憶媒体は、前記コンテンツを記憶するとともに、前記コンテンツが前記コンテンツ出力装置によって出力されたか否かを示す出力情報を記憶し、
前記コンテンツ配信装置は、前記出力情報を取得し、前記出力情報が前記コンテンツが出力されたことを示している場合、前記コンテンツが出力されたことに対する課金処理を行なう
コンテンツ配信システム。
【請求項２】
更に、情報の伝送を中継する中継装置を備え、
前記コンテンツ配信装置は、前記コンテンツを前記中継装置へ送信し、前記中継装置を介して前記記憶媒体から前記出力情報を取得し、
前記記憶媒体は、前記中継装置を経由した前記コンテンツを記憶する
請求項１記載のコンテンツ配信システム。
【請求項３】
コンテンツを蓄積する蓄積手段と、
前記コンテンツを外部の記憶媒体に記憶させるために送信する第１送信手段と、
前記コンテンツが前記記憶媒体に記憶された後、前記記憶媒体に記憶された前記コンテンツがコンテンツ出力装置によって出力されたか否かを示す出力情報を取得する出力情報取得手段と、
前記出力情報が前記コンテンツが出力されたことを示している場合、前記コンテンツが出力されたことに対する課金処理を行なう課金手段と
を備えるコンテンツ配信装置。
【請求項４】
更に、コンテンツの送信指示を受信する受信手段を備え、
前記蓄積手段は、複数の前記コンテンツを蓄積しており、
前記送信指示は、前記蓄積手段に蓄積されている複数の前記コンテンツのうちの特定のコンテンツを送信することを要求する指示であり、
前記第１送信手段は、前記送信指示に基づいて、前記特定のコンテンツを送信する
請求項３記載のコンテンツ配信装置。
【請求項５】
更に、コンテンツの送信指示を受信する受信手段を備え、
前記コンテンツは複数のサブコンテンツによって構成されており、
前記送信指示は、前記蓄積手段に蓄積されている複数の前記サブコンテンツのうちの特定のサブコンテンツを送信することを要求する指示であり、
前記第１送信手段は、前記送信指示に基づいて、前記特定のサブコンテンツを送信する
請求項３記載のコンテンツ配信装置。
【請求項６】
更に、コンテンツの送信に関する送信情報を受信する受信手段と、
前記送信情報を記憶する送信情報記憶手段とを備え、
前記蓄積手段は、複数の前記コンテンツを蓄積しており、
前記送信情報は、前記蓄積手段に蓄積されている複数の前記コンテンツのうちの特定のコンテンツを送信することを要求する情報であり、
前記受信手段は、コンテンツの送信指示を受信し、
前記第１送信手段は、前記受信手段が前記送信指示を受信した場合、前記送信情報記憶手段に記憶されている前記送信情報に基づいて、前記特定のコンテンツを送信する
請求項３記載のコンテンツ配信装置。
【請求項７】
更に、コンテンツの送信に関する送信情報を受信する受信手段と、
前記送信情報を記憶する送信情報記憶手段とを備え、
前記コンテンツは複数のサブコンテンツによって構成されており、
前記送信情報は、前記蓄積手段に蓄積されている複数の前記サブコンテンツのうちの特定のサブコンテンツを送信することを要求する情報であり、
前記受信手段は、コンテンツの送信指示を受信し、
前記第１送信手段は、前記受信手段が前記送信指示を受信した場合、前記送信情報記憶手段に記憶されている前記送信情報に基づいて、前記特定のサブコンテンツを送信する
請求項３記載のコンテンツ配信装置。
【請求項８】
更に、複数の前記コンテンツそれぞれが出力された場合の出力に対する対価金額を特定する対価金額情報を記憶する対価金額記憶手段を備え、
前記出力情報取得手段は、各前記コンテンツが前記コンテンツ出力装置によって出力されたか否かを示す前記出力情報を取得し、
前記課金手段は、前記出力情報及び前記対価金額情報に基づいて、各前記コンテンツが出力されたことに対する対価請求額の合計を決定する
請求項３記載のコンテンツ配信装置。
【請求項９】
更に、前記コンテンツが出力された場合の出力に対する対価金額を特定する対価金額情報を記憶する対価金額記憶手段を備え、
前記コンテンツは複数のサブコンテンツによって構成されており、
前記対価金額情報は、各前記サブコンテンツの対価金額を特定しており、
前記出力情報取得手段は、各前記サブコンテンツが前記コンテンツ出力装置によって出力されたか否かを示す前記出力情報を取得し、
前記課金手段は、前記出力情報及び前記対価金額情報に基づいて、各前記サブコンテンツが出力されたことに対する対価請求額の合計を決定する
請求項３記載のコンテンツ配信装置。
【請求項１０】
更に、前記出力情報が前記コンテンツが出力されたことを示している場合、前記記憶媒体に記憶された前記コンテンツを消去させるための指示を行なう消去指示手段を備える
請求項３記載のコンテンツ配信装置。
【請求項１１】
更に、前記記憶媒体を認証するための認証情報を記憶する認証情報記憶手段と、
前記認証情報を利用して、前記記憶媒体が正当であるか否かを認証する認証手段とを備え、
前記第１送信手段は、前記記憶媒体が正当であることが前記認証手段によって認証された場合、前記コンテンツを送信し、
前記出力情報取得手段は、前記記憶媒体が正当であることが前記認証手段によって認証された場合、前記出力情報を取得する
請求項３記載のコンテンツ配信装置。
【請求項１２】
更に、前記第１送信手段が前記コンテンツを送信した後に、前記コンテンツを送信したことを示す送信履歴を記憶する履歴記憶手段と、
前記コンテンツの送信を要求する指示である送信指示を受信する受信手段とを備え、
前記第１送信手段は、前記受信手段が前記送信指示を受信した場合、前記送信履歴が前記履歴記憶手段に記憶されているときは前記コンテンツを送信しない
請求項３記載のコンテンツ配信装置。
【請求項１３】
前記第１送信手段は、情報の伝送を中継する中継装置に前記コンテンツを送信し、
前記記憶媒体は、前記中継装置を経由した前記コンテンツを記憶し、
前記出力情報取得手段は、前記中継装置を介して前記記憶媒体から前記出力情報を取得する
請求項３記載のコンテンツ配信装置。
【請求項１４】
更に、前記第１送信手段が前記コンテンツを送信した後に、前記コンテンツを送信したことを示す送信履歴を記憶する履歴記憶手段と、
前記履歴記憶手段によって記憶された前記送信履歴を、出力手段を備える前記中継装置に送信する第２送信手段と
を備える請求項１３記載のコンテンツ配信装置。
【請求項１５】
更に、前記コンテンツの再送信を要求する指示である再送信指示を前記中継装置から受信する受信手段を備え、
前記第１送信手段は、前記受信手段が前記再送信指示を受信した場合であっても、前記コンテンツを前記中継装置へ再送信する
請求項１４記載のコンテンツ配信装置。
【請求項１６】
更に、前記第１送信手段が前記コンテンツを送信した後に、前記コンテンツを送信したことを示す送信履歴を記憶する履歴記憶手段と、
前記履歴記憶手段によって記憶された前記送信履歴を、出力手段を備える前記記憶媒体に送信する第２送信手段と
を備える請求項３記載のコンテンツ配信装置。
【請求項１７】
更に、前記コンテンツの再送信を要求する指示である再送信指示を前記記憶媒体から受信する受信手段を備え、
前記第１送信手段は、前記受信手段が前記再送信指示を受信した場合、前記コンテンツを前記記憶媒体に再送信する
請求項１６記載のコンテンツ配信装置。
【請求項１８】
コンテンツを配信するコンテンツ配信装置から前記コンテンツを受信する第１受信手段と、
前記第１受信手段によって受信された前記コンテンツを外部の記憶媒体に記憶させるための処理を行なう記憶処理手段と、
前記記憶媒体から、前記記憶媒体に記憶された前記コンテンツがコンテンツ出力装置によって出力されたか否かを示す出力情報を取得する取得手段と、
前記取得手段によって取得された前記出力情報を前記コンテンツ配信装置へ送信する第１送信手段と
を備える中継装置。
【請求項１９】
更に、複数の前記コンテンツを特定するメニューを表示する表示手段と、
複数の前記コンテンツのうちの特定のコンテンツを送信することを要求する送信要求情報を受け付ける受付手段と、
前記受付手段によって受け付けられた前記送信要求情報を前記コンテンツ配信装置へ送信する第２送信手段とを備え、
前記第１受信手段は、前記送信要求情報に対応する前記特定のコンテンツを前記コンテンツ配信装置から受信し、
前記記憶処理手段は、前記第１受信手段によって受信された前記特定のコンテンツを前記記憶媒体に記憶させるための処理を行なう
請求項１８記載の中継装置。
【請求項２０】
更に、前記コンテンツを構成する複数のサブコンテンツを特定するメニューを表示する表示手段と、
複数の前記サブコンテンツのうちの特定のサブコンテンツを送信することを要求する送信要求情報を受け付ける受付手段と、
前記受付手段によって受け付けられた前記送信要求情報を前記コンテンツ配信装置へ送信する第２送信手段とを備え、
前記第１受信手段は、前記送信要求情報に対応する前記特定のサブコンテンツを前記コンテンツ配信装置から受信し、
前記記憶処理手段は、前記第１受信手段によって受信された前記特定のサブコンテンツを前記記憶媒体に記憶させるための処理を行なう
請求項１８記載の中継装置。
【請求項２１】
前記コンテンツは複数のサブコンテンツによって構成されており、
前記取得手段は、前記記憶媒体から、前記記憶媒体に記憶された各前記サブコンテンツが出力されたか否かを示す前記出力情報を取得する
請求項１８記載の中継装置。
【請求項２２】
前記記憶処理手段は、前記コンテンツを前記記憶媒体へ送信し
前記記憶媒体は、前記コンテンツを受信し記憶する
請求項１８記載の中継装置。
【請求項２３】
前記記憶処理手段は、前記コンテンツを前記記憶媒体へ記録する
請求項１８記載の中継装置。
【請求項２４】
更に、前記コンテンツ配信装置から、前記コンテンツ配信装置が前記中継装置に前記コンテンツを送信したことを示す送信履歴を受信する第２受信手段と、
前記第２受信手段によって受信された前記送信履歴を出力する出力手段と、
前記コンテンツの再送信を要求する指示である再送信指示を受け付ける受付手段と、
前記受付手段によって受け付けられた前記再送信指示を前記コンテンツ配信装置へ送信する第２送信手段と
を備える請求項１８記載の中継装置。
【請求項２５】
コンテンツを配信するコンテンツ配信装置からの前記コンテンツを記憶するための第１記憶手段と、
前記第１記憶手段に記憶された前記コンテンツがコンテンツ出力装置によって出力されたか否かを示す出力情報を記憶する第２記憶手段と
を備える記憶媒体。
【請求項２６】
前記コンテンツは複数のサブコンテンツによって構成されており、
前記第２記憶手段は、各前記サブコンテンツが出力されたか否かを示す前記出力情報を記憶する
請求項２５記載の記憶媒体。
【請求項２７】
前記コンテンツ配信装置から前記コンテンツを受信する受信手段と、
前記出力情報を前記コンテンツ配信装置へ送信する送信手段とを備え、
前記第１記憶手段は、前記受信手段によって受信された前記コンテンツを記憶する
請求項２５記載の記憶媒体。
【請求項２８】
更に、前記コンテンツ配信装置が前記記憶媒体を認証するための認証情報を記憶する認証情報記憶手段を備え、
前記第１記憶手段は、前記記憶媒体が正当であることが前記コンテンツ配信装置によって認証された場合、前記コンテンツを記憶する
請求項２５記載の記憶媒体。
【請求項２９】
前記第１記憶手段は、情報の伝送を中継する中継装置を経由した前記コンテンツを記憶し、
前記出力情報は、前記中継装置を介して前記コンテンツ配信装置によって取得される
請求項２５記載の記憶媒体。
【請求項３０】
更に、前記コンテンツが前記コンテンツ出力装置によって出力された場合、前記第１記憶手段に記憶された前記コンテンツを消去する消去手段を備える
請求項２５記載の記憶媒体。
【請求項３１】
更に、前記コンテンツ配信装置から、前記コンテンツを受信する第１受信手段と、
前記コンテンツ配信装置から、前記コンテンツ配信装置が前記記憶媒体に前記コンテンツを送信したことを示す送信履歴を受信する第２受信手段と、
前記第２受信手段によって受信された前記送信履歴を出力する出力手段と、
前記コンテンツの再送信を要求する指示である再送信指示を受け付ける受付手段と、
前記受付手段によって受け付けられた前記再送信指示を前記コンテンツ配信装置へ送信する送信手段と
を備える請求項２５記載の記憶媒体。
【請求項３２】
外部の記憶媒体に記憶されているコンテンツを出力する出力手段と、
前記コンテンツが前記出力手段によって出力されたか否かを示す出力情報を前記記憶媒体に記憶させる制御手段と
を備えるコンテンツ出力装置。
【請求項３３】
前記コンテンツは複数のサブコンテンツによって構成されており、
前記制御手段は、各前記サブコンテンツが出力されたか否かを示す前記出力情報を前記記憶媒体に記憶させる
請求項３２記載のコンテンツ出力装置。
【請求項３４】
蓄積されているコンテンツを外部の記憶媒体に記憶させるために送信する送信ステップと、
前記コンテンツが前記記憶媒体に記憶された後、前記記憶媒体に記憶された前記コンテンツがコンテンツ出力装置によって出力されたか否かを示す出力情報を取得する出力情報取得ステップと、
前記出力情報が前記コンテンツが出力されたことを示している場合、前記コンテンツが出力されたことに対する課金処理を行なう課金ステップと
を含むコンテンツ配信方法。
【請求項３５】
コンテンツを配信するコンテンツ配信装置から前記コンテンツを受信する受信ステップと、
前記受信ステップにおいて受信した前記コンテンツを外部の記憶媒体に記憶させるための処理を行なう記憶処理ステップと、
前記記憶媒体から、前記記憶媒体に記憶された前記コンテンツがコンテンツ出力装置によって出力されたか否かを示す出力情報を取得する取得ステップと、
前記取得ステップにおいて取得した前記出力情報を前記コンテンツ配信装置へ送信する送信ステップと
を含む中継方法。
【請求項３６】
外部の記憶媒体に記憶されているコンテンツを出力する出力ステップと、
前記コンテンツを前記出力ステップにおいて出力したか否かを示す出力情報を前記記憶媒体に記憶させる制御ステップと
を含むコンテンツ出力制御方法。
【請求項３７】
蓄積されているコンテンツを外部の記憶媒体に記憶させるために送信する送信ステップと、
前記コンテンツが前記記憶媒体に記憶された後、前記記憶媒体に記憶された前記コンテンツがコンテンツ出力装置によって出力されたか否かを示す出力情報を取得する出力情報取得ステップと、
前記出力情報が前記コンテンツが出力されたことを示している場合、前記コンテンツが出力されたことに対する課金処理を行なう課金ステップと
をコンピュータに実行させるためのプログラム。
【請求項３８】
コンテンツを配信するコンテンツ配信装置から前記コンテンツを受信する受信ステップと、
前記受信ステップにおいて受信した前記コンテンツを外部の記憶媒体に記憶させるための処理を行なう記憶処理ステップと、
前記記憶媒体から、前記記憶媒体に記憶された前記コンテンツがコンテンツ出力装置によって出力されたか否かを示す出力情報を取得する取得ステップと、
前記取得ステップにおいて取得した前記出力情報を前記コンテンツ配信装置へ送信する送信ステップと
をコンピュータに実行させるためのプログラム。
【請求項３９】
外部の記憶媒体に記憶されているコンテンツを出力する出力ステップと、
前記コンテンツを前記出力ステップにおいて出力したか否かを示す出力情報を前記記憶媒体に記憶させる制御ステップと
をコンピュータに実行させるためのプログラム。
【発明の詳細な説明】
【技術分野】
【０００１】
本発明は、コンテンツを配信する技術に関する。
【背景技術】
【０００２】
近年、様々な情報がデジタル化され、デジタルコンテンツ（以下、単に「コンテンツ」とも称する。）として、多くのユーザに利用されている。
【０００３】
また、ネットワークの普及により、ユーザは、ＣＤ−ＲＯＭなどの媒体経由のみならずインターネット経由でコンテンツを取得するなど、オンラインでのコンテンツの取得が一般的となっている。
【０００４】
例えば、出版された書籍や書き下ろしの書籍をデジタル化したコンテンツを販売するＷｅｂサイト（以下「コンテンツ販売サイト」と称する。）が存在し、ユーザは、コンテンツ販売サイトから自身の好みに応じたコンテンツを購入することができる。このコンテンツ販売サイトでは、ユーザは、購入を所望するコンテンツを選択し、購入代金の決済を行なう。購入代金の決済を行なった後に選択したコンテンツをダウンロードすることにより取得する。ユーザは、取得したコンテンツをパーソナルコンピュータ（ＰＣ）で再生して表示し閲覧する。
【０００５】
また、取得したコンテンツを記憶媒体、例えばＳＤ（Secure Digital）メモリカードに保存し、ＰＤＡ（Personal Digital Assistance）などの携帯端末に装着することにより、外出先において携帯端末でコンテンツを楽しむことも広く行なわれている。
【０００６】
ここで、購入代金の決済はオンラインで行なわれるが、決済にはクレジットカードが用いられる。その場合、コンテンツの購入希望者はクレジットカードの名義及びカード番号と住所・氏名などの個人認証を行なうための情報をＷｅｂサイト上で入力し送信する。コンテンツの販売者は、その情報に基づき、個人認証を行ない、購入希望者にコンテンツの購入を許可し、購入代金の決済が行なわれる。
【０００７】
個人認証は、ＩＣカードにより行なわれる場合もある。ＩＣカードは、ＩＣ（集積回路）チップが埋め込まれた、プラスチックカードであり、種々の情報を記憶する記憶媒体としても用いられる。ＩＣカードは、その構造上、カードの偽造や情報の盗み出しが困難である。
【０００８】
そのため、個人認証などセキュリティの要求される行為を安全に行なう手段として、ＩＣカードの利用は有効であり、現在では、ＩＣカードの利用に関する技術や、ＩＣカードを利用したシステムなどが数多く公開されている。例えば、電子マネーの用途でＩＣカードが用いられる場合、ＩＣカードには貨幣価値データが記憶されており、その記憶された貨幣価値データの残高等を携帯端末において安全に表示させる方法が開示されている（例えば特許文献１参照)。
【特許文献１】特開２００２−２１６０８１号公報
【発明の開示】
【発明が解決しようとする課題】
【０００９】
しかしながら、コンテンツのオンライン販売においては、ユーザはコンテンツの取得前に購入代金の決済を行なう必要がある。つまり先払いであるため、ユーザはコンテンツの取得時に取得すべきコンテンツの選択を熟考しなければばらない。そのため、オンライン販売の利点である即時性が損なわれることとなる。
【００１０】
そこで、本発明は、上記課題を考慮し、ユーザに熟考させることなくコンテンツの取得を行なわせることができるコンテンツ配信装置と、記憶媒体と、コンテンツ出力装置とを提供することを目的とする。
【課題を解決するための手段】
【００１１】
上記目的を達成するために、本発明に係るコンテンツ配信装置は、コンテンツを蓄積する蓄積手段と、前記コンテンツを外部の記憶媒体に記憶させるために送信する送信手段と、前記コンテンツが前記記憶媒体に記憶された後、前記記憶媒体に記憶された前記コンテンツがコンテンツ出力装置によって出力されたか否かを示す出力情報を取得する出力情報取得手段と、前記出力情報が前記コンテンツが出力されたことを示している場合、前記コンテンツが出力されたことに対する課金処理を行なう課金手段とを備える。
【００１２】
また、本発明に係る記憶媒体は、コンテンツを配信するコンテンツ配信装置からの前記コンテンツを記憶するための第１記憶手段と、前記第１記憶手段に記憶された前記コンテンツがコンテンツ出力装置によって出力されたか否かを示す出力情報を記憶する第２記憶手段とを備える。
【００１３】
また、本発明に係るコンテンツ出力装置は、外部の記憶媒体に記憶されているコンテンツを出力する出力手段と、前記コンテンツが前記出力手段によって出力されたか否かを示す出力情報を前記記憶媒体に記憶させる制御手段とを備える。
【００１４】
これによって、ユーザは、取得したコンテンツをコンテンツ出力装置に出力させた場合、つまりユーザがコンテンツを閲覧した場合にのみ課金される。そのため、ユーザはコンテンツの取得時に熟考することなくコンテンツの取得が行なえる。
【発明の効果】
【００１５】
本発明は、ユーザに熟考させることなくコンテンツの取得を行なわせることができるコンテンツ配信装置と記憶媒体とコンテンツ出力装置とを提供することができる。
【発明を実施するための最良の形態】
【００１６】
以下、本発明を実施するための最良の形態について図面を用いて詳細に説明する。
先ず、本発明の実施の形態におけるコンテンツ配信システムの構成を、図１〜図５を用いて説明する。
【００１７】
図１は、コンテンツ配信システム１のハードウェア構成図である。コンテンツ配信システム１は、コンテンツをユーザに配信しユーザに閲覧させるためのシステムであって、コンテンツ配信サーバ１０と、キオスク端末３０と、ＩＣカード４０と、閲覧端末５０と、ネットワーク通信網１００とを備える。
【００１８】
コンテンツ配信サーバ１０は、本発明のコンテンツ配信装置の一例であり、コンテンツの蓄積および送信と、コンテンツ配信システム１を利用するユーザに関する情報の管理とを行なうサーバ装置である。キオスク端末３０は、本発明の中継装置の一例であり、コンテンツ配信サーバ１０とＩＣカード４０との間のデータのやり取りを中継する端末装置である。
【００１９】
コンテンツ配信サーバ１０とキオスク端末３０とはネットワーク通信網１００により互いに接続されている。
【００２０】
ＩＣカード４０は、本発明の記憶媒体の一例であり、コンテンツを記憶し、コンテンツの閲覧料金を確実に精算するためのカード型記憶媒体である。閲覧端末５０は、本発明のコンテンツ出力装置の一例であり、ＩＣカード４０に記憶されたコンテンツを出力する端末装置である。
【００２１】
図２は、ユーザがコンテンツ配信システム１を利用し、コンテンツを閲覧する際のユーザの行為及びコンテンツ配信システム１の動作の概要を示す図である。なお、コンテンツ配信システム１の動作の詳細については図６〜図２４を用いて後述する。
【００２２】
図２（Ａ）はユーザがコンテンツ配信システム１を利用しコンテンツを閲覧する際の、ユーザの行為の概要を示す図である。
【００２３】
ユーザは先ずコンテンツの供給者であるコンテンツプロバイダと契約しコンテンツ配信システム１を利用するためのＩＣカード４０を入手する。またＩＣカード４０及びユーザ個人に関する情報がコンテンツ配信サーバ１０に登録される（Ｓ１）。
【００２４】
ユーザは、キオスク端末３０にＩＣカード４０を挿入し、所定の操作によりコンテンツ配信サーバ１０に保存されているコンテンツを取得する（Ｓ２）。具体的には、コンテンツ配信サーバ１０から送信されるコンテンツをＩＣカード４０に記憶させる。
【００２５】
なお、このコンテンツ取得自体は課金されず無料であり、そのためユーザは気楽にコンテンツの取得が行なえる。
【００２６】
ユーザは、コンテンツが記憶されたＩＣカード４０を閲覧端末５０に挿入し、所定の操作によって取得したコンテンツを閲覧端末５０に表示させ閲覧する。その表示されたコンテンツを特定する情報が、利用実績情報としてＩＣカード４０に記憶される（Ｓ３）。なお、利用実績情報の詳細は図１８を用いて後述する。
【００２７】
ユーザは、利用実績情報が記録されたＩＣカード４０をキオスク端末３０に挿入し、所定の操作により利用料金の精算を行なう。
【００２８】
利用料金の精算とは、ユーザが閲覧したコンテンツの閲覧料金の精算であり、ユーザからすれば利用実績情報のコンテンツ配信サーバ１０への送信である。コンテンツ配信サーバ１０は、送信された利用実績情報を受信し処理する（Ｓ４）。
【００２９】
図２（Ｂ）は、ユーザが閲覧したコンテンツの料金を、コンテンツプロバイダがユーザに請求する流れを示す図である。
【００３０】
コンテンツ配信サーバ１０は、上記のユーザが行なったコンテンツの取得時（Ｓ２）、つまりコンテンツ配信サーバ１０にとってはコンテンツの送信時に、送信したコンテンツを特定する情報を記録する（Ｓ５）。
【００３１】
コンテンツ配信サーバ１０は、上記の受信した利用実績情報（Ｓ４）と、上記の送信したコンテンツを特定する情報とを用い、ユーザが閲覧したコンテンツの料金を利用料金として集計し、ユーザが指定する決済口座を有する金融機関等に利用料金の請求情報を送信する（Ｓ６）。
【００３２】
このように、コンテンツ配信システム１は、ユーザはコンテンツを無料で取得することができ、閲覧したコンテンツに対してのみユーザに課金されるシステムである。
【００３３】
なお、本実施の形態においては、ユーザが閲覧端末５０に表示させたコンテンツは、ユーザが閲覧したコンテンツとみなす。
【００３４】
図３は、コンテンツ配信システム１の機能的な構成を示す機能ブロック図であり、図１と同様に、コンテンツ配信サーバ１０と、キオスク端末３０と、ＩＣカード４０と、閲覧端末５０と、ネットワーク通信網１００とを備える。
【００３５】
コンテンツ配信サーバ１０は上述のように、コンテンツの蓄積および送信と、コンテンツ配信システム１を利用するユーザに関する情報の管理とを行なうサーバ装置であり、サーバ側通信部１１と、サーバ側ＰＫＩ（Public Key Infrastructure）認証部１２と、サーバ制御部１３と、配信コンテンツ格納部１４と、コンテンツ管理部１５と、アカウント情報格納部１６と、アカウント管理部１７と、請求管理部１８とを備える。
【００３６】
サーバ側通信部１１は、ネットワーク通信網１００を介してキオスク端末３０とのデータのやり取りを行なうための処理部である。
【００３７】
サーバ側ＰＫＩ認証部１２は、公開鍵暗号技術と電子署名を用い、キオスク端末３０に挿入されたＩＣカード４０の認証を行ない、ＩＣカード４０との間で暗号化通信を行なうための処理部であり、公開鍵と、コンテンツ配信サーバ１０のコンテンツ配信システム１における正当性を証明する電子証明書とを保持している。
【００３８】
サーバ制御部１３は、コンテンツの配信や、ユーザに関する情報の制御など、コンテンツ配信サーバ１０の主要な動作を制御する処理部である。
【００３９】
配信コンテンツ格納部１４は、配信するコンテンツと、それらコンテンツに関する情報である配信コンテンツ情報とを格納するための記憶装置である。配信コンテンツ情報の詳細は図４を用いて後述する。
【００４０】
コンテンツ管理部１５は、配信コンテンツ格納部１４に格納されているコンテンツと、配信コンテンツ情報とを管理する処理部である。
【００４１】
アカウント情報格納部１６は、ユーザに関する情報であるユーザ情報と、ユーザに請求する利用料金に関する情報である精算情報とを格納するための記憶装置である。ユーザ情報の詳細については、図５を用いて後述する。精算情報の詳細については図９を用いて後述する。
【００４２】
アカウント管理部１７は、アカウント情報格納部１６に格納されているユーザ情報と精算情報とを管理する処理部である。
【００４３】
請求管理部１８は、配信コンテンツ格納部１４に格納されている配信コンテンツ情報と、アカウント情報格納部１６に格納されているユーザ情報及び精算情報とに基づき、請求情報を生成し、ユーザが指定する決済口座を有する金融機関等に請求情報を送信する処理部である。
【００４４】
キオスク端末３０は、上述のようにコンテンツ配信サーバ１０とＩＣカード４０との間のデータのやり取りを中継する端末装置であり、キオスク端末側第１通信部３１と、キオスク端末側カードスロット３２と、キオスク端末側第２通信部３３と、キオスク端末制御部３４と、タッチパネル３５と、表示用情報格納部３６とを備える。
【００４５】
キオスク端末側第１通信部３１は、ネットワーク通信網１００を介してコンテンツ配信サーバ１０とのデータのやり取りを行なうための処理部である。
【００４６】
キオスク端末側カードスロット３２は、ユーザによってＩＣカード４０が挿入されるカードスロットであり、キオスク端末側第２通信部３３は、キオスク端末側カードスロット３２に挿入されたＩＣカード４０との間のデータのやり取りを行なう処理部である。
【００４７】
キオスク端末制御部３４は、コンテンツ配信サーバ１０とＩＣカード４０とのデータのやり取りなど、キオスク端末制御部３４の主要な動作を制御する処理部である。
【００４８】
タッチパネル３５は、ＩＣカード４０をキオスク端末側カードスロット３２に挿入したユーザが行なう、ＩＣカード４０の認証や取得するコンテンツの選択などのための画面を表示する表示部である。また、タッチパネル３５は、ユーザによる操作を受け付けるための入力部でもある。
【００４９】
ユーザは、タッチパネル３５に表示されるボタン等を指でタッチすることにより、コンテンツの取得等の操作を行なうことができる。
【００５０】
表示用情報格納部３６は、タッチパネル３５が表示する情報を格納する記憶装置である。
【００５１】
ＩＣカード４０は、上述のように、コンテンツを記憶し、また、コンテンツ購入料金を安全に決済するためのカード型記憶媒体であり、通信端子４１と、カード側ＰＫＩ認証部４２と、カード制御部４３と、取得コンテンツ格納部４４と、利用実績情報格納部４５とを備える。
【００５２】
通信端子４１は、ＩＣカード４０がユーザによってキオスク端末３０に挿入された場合に、ＩＣカード４０とキオスク端末３０とがデータのやり取りを行なうための物理的な接点となる端子である。
【００５３】
カード側ＰＫＩ認証部４２は、コンテンツ配信サーバ１０または閲覧端末５０との間で暗号化通信を行なうための処理部であり、暗号化通信を行なうための秘密鍵と、ＩＣカード４０のコンテンツ配信システム１における正当性を証明する電子証明書とを保持している。
【００５４】
カード制御部４３は、ＩＣカード４０の各構成部の動作や各構成部に記憶された情報の制御を行う処理部である。
【００５５】
取得コンテンツ格納部４４は、キオスク端末３０を利用し、コンテンツ配信サーバ１０から取得したコンテンツや、取得したコンテンツに関する情報である取得コンテンツ情報を格納するための記憶部である。取得コンテンツ情報の詳細は、図１０を用いて後述する。
【００５６】
利用実績情報格納部４５は、閲覧端末５０によりユーザが閲覧したコンテンツを特定する情報である利用実績情報を格納する記憶装置である。利用実績情報の詳細については図１８を用いて後述する。
【００５７】
閲覧端末５０は、上述のように、ＩＣカード４０に記憶されたコンテンツを表示する端末装置であり、閲覧端末側カードスロット５１と、閲覧端末側通信部５２と、閲覧端末側ＰＫＩ認証部５３と、閲覧端末制御部５４と、表示部５５と、入力部５６とを備える。
【００５８】
閲覧端末側カードスロット５１は、ユーザによってＩＣカード４０が挿入されるカードスロットであり、閲覧端末側通信部５２は、閲覧端末側カードスロット５１に挿入されたＩＣカード４０とのデータのやり取りを行なう処理部である。
【００５９】
閲覧端末側ＰＫＩ認証部５３は、ＩＣカード４０との間で暗号化通信を行なうための処理部であり、公開鍵と、コンテンツ配信システム１における閲覧端末５０の正当性を証明する電子証明書とを保持している。
【００６０】
閲覧端末制御部５４は、コンテンツの表示など、閲覧端末５０の主要な動作を制御する制御部である。
【００６１】
表示部５５は、ユーザが閲覧するサブコンテンツなどの表示を行なう表示部であり、入力部５６は、ユーザが、閲覧するコンテンツの選択などを行なうためのポインティングデバイスである。
【００６２】
図４は、コンテンツ配信サーバ１０に備えられた配信コンテンツ格納部１４に格納されている配信コンテンツ情報のデータ構成例を示す図である。
【００６３】
配信コンテンツ情報は、同じくコンテンツ格納部１４に格納されているコンテンツに関する情報であり、データ項目としてコンテンツＩＤと、コンテンツ名と、サブコンテンツＩＤと、サブコンテンツ名と、表示用要約と、閲覧料金とがある。
【００６４】
コンテンツＩＤは各コンテンツに付与されたユニークなＩＤであり、コンテンツ登録時に、コンテンツ管理部１５によって付与される。コンテンツ名は各コンテンツの名前である。
【００６５】
図４に示すように、各コンテンツは複数のサブコンテンツによって構成されており、サブコンテンツＩＤはそれらサブコンテンツに付与されたユニークなＩＤである。サブコンテンツＩＤはコンテンツ登録時に、コンテンツ管理部１５によって付与される。
【００６６】
各サブコンテンツＩＤは親となるコンテンツに付与されたコンテンツＩＤと「０１」から始まる連番とで形成され、同じコンテンツ内であれば連番のみでサブコンテンツが特定される。サブコンテンツ名は、サブコンテンツの名前である。
【００６７】
表示用要約は、各サブコンテンツの要約であり、キオスク端末３０及び閲覧端末５０にて表示するために用いられる。この内容を基にユーザは閲覧するサブコンテンツを決定できる。
【００６８】
閲覧料金は、各サブコンテンツをユーザが閲覧した場合にのみ、ユーザに請求される料金である。なお、各サブコンテンツに関する配信コンテンツ情報、つまり図４に示すデータ構成における１行分の情報を、以下、個別配信サブコンテンツ情報と呼ぶ。
【００６９】
図５は、コンテンツ配信サーバ１０に備えられたアカウント情報格納部１６に格納されているユーザ情報のデータ構成例を示す図である。
【００７０】
ユーザ情報は、コンテンツ配信システム１を利用するユーザに関する情報であり、データ項目として、ユーザＩＤと、ユーザ名と、住所と、電話番号と、決済口座とがある。
【００７１】
ユーザＩＤは、ユーザがコンテンツ配信システム１を利用するユーザを識別するための識別子である。ユーザＩＤは、アカウント管理部１７によって付与される。
【００７２】
ユーザ名はユーザの名前であり、住所及び電話番号は、ユーザの連絡先となる住所及び電話番号である。決済口座は、ユーザが利用料金を決済するための口座である。ユーザが閲覧したサブコンテンツの閲覧料金が利用料金として決済口座にて決済される。
【００７３】
次に、以上のように構成されたコンテンツ配信システム１の動作を説明する。コンテンツ配信システム１の動作は、（１）ユーザがコンテンツを取得する際の動作、（２）ユーザがコンテンツを閲覧する際の動作、（３）ユーザコンテンツを精算する際の動作、の３つに分けられる。上記３つの動作を順に説明する。
【００７４】
［（１）ユーザがコンテンツを取得する際の動作］
先ず、ユーザがコンテンツを取得する際の、コンテンツ配信サーバ１０、キオスク端末３０及びＩＣカード４０の動作を図６〜図１１を用いて説明する。
【００７５】
図６は、ユーザがコンテンツを取得する際の、ＩＣカード４０と、キオスク端末３０と、コンテンツ配信サーバ１０との間で行なわれるデータのやり取り及び、動作の流れを示すシーケンス図である。
【００７６】
なお、ユーザが新たにコンテンツを取得する際、つまりＩＣカード４０に新たなコンテンツを記憶させる場合は、ＩＣカード４０に既に保存されている既読のサブコンテンツの閲覧料金の精算が同時に行なわれるが、コンテンツ取得時の動作を明確に説明するため、ユーザが、コンテンツが全く保存されていないＩＣカード４０を使用する場合を想定し、取得の動作のみについて説明を行なう。コンテンツの取得及び既読のサブコンテンツの精算が同時に行なわれる場合の動作の説明は図２３を用いて後述する。
【００７７】
また、以下の説明に登場するユーザのユーザＩＤは「Ｕ４００００１」であると想定する。
【００７８】
所定の時刻、例えば午前５時に、コンテンツ配信サーバ１０は、配信コンテンツ格納部１４に格納されている配信コンテンツ情報をキオスク端末３０に送信する（Ｓ１０）。
【００７９】
キオスク端末３０は、受信した配信コンテンツ情報を表示用情報格納部３６に格納する。
【００８０】
キオスク端末制御部３４は、表示用情報格納部３６に格納されている配信コンテンツ情報を用い、後述の図７に示す配信メニュー画面を生成する。タッチパネル３５は生成された配信メニュー画面を表示する（Ｓ１１）。
【００８１】
ユーザは、ＩＣカード４０をキオスク端末３０のキオスク端末側カードスロット３２に挿入し（Ｓ１２）、ＩＣカード４０を使用するための暗証番号であるＰＩＮ（Personal Identification Number）をタッチパネル３５から入力する。ＩＣカード４０はＰＩＮが正しいことを確認した後、キオスク端末３０を経由し、コンテンツ配信サーバ１０に認証を求める。
【００８２】
なお、ＰＩＮはＩＣカード４０の所有者であるユーザのみが知る、所定の文字数からなる文字列であり、入力を所定の回数誤ると、ＩＣカード４０にロックが掛かり、全く使用できなくなる。
【００８３】
コンテンツ配信サーバ１０とＩＣカード４０とは、コンテンツ配信サーバ１０が保持する公開鍵及び電子証明書と、ＩＣカード４０が保持する秘密鍵及び電子証明書とにより暗号化された通信を行なう。この通信によりコンテンツ配信サーバ１０とＩＣカード４０とは、互いに正当性を確認し、コンテンツ配信サーバ１０は、現在の通信相手はユーザＩＤ「Ｕ４００００１」のユーザであると特定しコンテンツ配信サーバ１０との通信を認証する（Ｓ１３）。
【００８４】
暗号化及び復号化は、コンテンツ配信サーバ１０では、サーバ側ＰＫＩ認証部１２が行ない、ＩＣカード４０ではカード側ＰＫＩ認証部４２が行なう。なお、以下の説明で述べる、コンテンツ配信サーバ１０とＩＣカード４０との間でやりとりされるデータは全て暗号化され、秘匿性が確保される。そのため、一つ一つのデータについての暗号化及び復号化の説明は省略する。
【００８５】
また、ＩＣカード４０自体は電源を持たず、接続相手先であるキオスク端末３０から電力を供給されることにより、ＩＣカード４０内での処理が実行される。接続相手先が閲覧端末５０であっても同様である。
【００８６】
上記認証が行なわれた後、ユーザは配信メニュー画面の操作を行なうことができる。
図７は、タッチパネル３５が表示するメニュー画面３００の一例を示す図である。配信メニュー画面３００には、「ＡＢＣ新聞」、「週刊サッカーＦＣ」、「シネマ○○○」、「月刊○○○」と表示された４つのコンテンツ選択ボタン３０１と、取得ボタン３０２と、内容確認ボタン３０３と、「ご利用精算」と表示された精算画面表示ボタン３０４とが表示されている。
【００８７】
タッチパネル３５は、表示機能と入力受付機能とを備え、ユーザは、タッチパネル３５上に表示されたボタン等を指でタッチすることにより、キオスク端末３０に、そのボタン等に対応した命令を入力することができる。
【００８８】
コンテンツ選択ボタン３０１は、ユーザがコンテンツの選択を行なうためのボタンであり、ユーザが取得可能なコンテンツ名がボタン上に記載される。図７に示す例は、ユーザにより「ＡＢＣ新聞」を示すコンテンツ選択ボタン３０１がタッチされた状態を示している。つまり、ユーザにより「ＡＢＣ新聞」が選択されたことを意味する。
【００８９】
取得ボタン３０２は、コンテンツ選択ボタン３０１がタッチされたことにより選択されたコンテンツをユーザが取得するためのボタンである。
【００９０】
内容確認ボタン３０３は、コンテンツの内容をユーザが確認することができる画面を表示するためのボタンであり、タッチされることにより、タッチパネル３５は後述の図１１に示す内容確認画面を表示する。
【００９１】
精算画面表示ボタン３０４は、ユーザが既読のサブコンテンツの閲覧料金の精算および未読のサブコンテンツの削除を行なうことができる画面を表示するボタンであり、タッチされることにより、タッチパネル３５は後述の図２０に示す精算画面を表示する。
【００９２】
図７に示す、配信メニュー画面３００において、ユーザにより取得ボタン３０２がタッチされると、キオスク端末制御部３４は取得要求を受け付け、下記図８に示す取得確認ダイアログボックス３１０を生成する。タッチパネル３５は、生成された取得確認ダイアログボックス３１０を表示する（Ｓ１４）。
【００９３】
図８は、タッチパネル３５が表示する取得確認ダイアログボックス３１０の一例を示す図である。
【００９４】
取得確認ダイアログボックス３１０は、キオスク端末３０がユーザにコンテンツの取得の了解を求め、取得時にＩＣカード４０に保存されている既読のサブコンテンツの閲覧料金の精算及びＩＣカード４０からの削除を行なうことをユーザに確認させるためのダイアログボックスである。
【００９５】
なお、ＩＣカード４０には現在、コンテンツが保存されていないため、閲覧料金の精算及びサブコンテンツの削除は行なわれない。
【００９６】
図８に示す取得確認ダイアログボックス３１０には、上記の確認等のための文章のほかに、取得実行ボタン３１１と、キャンセルボタン３１２とが表示されている。
【００９７】
図８に示す取得確認ダイアログボックス３１０は、キオスク端末３０がユーザに「ＡＢＣ新聞」の取得の了解を求めており、ユーザにより取得実行ボタン３１１がタッチされると、キオスク端末制御部３４は、キオスク端末側第１通信部３１を介し、コンテンツ配信サーバ１０に、コンテンツ「ＡＢＣ新聞」の取得要求を送信する（Ｓ１５）。
【００９８】
具体的には、キオスク端末制御部３４が、「ＡＢＣ新聞」のコンテンツＩＤである「Ｃ０１０１」（図４参照）を表示用情報格納部３６から読み出し、「Ｃ０１０１」の取得要求をコンテンツ配信サーバ１０に送信する。
【００９９】
なお、キャンセルボタン３１２がタッチされると、取得確認ダイアログボックス３１０は閉じられ、タッチパネル３５は、配信メニュー画面３００を表示する。
【０１００】
コンテンツ配信サーバ１０では、「Ｃ０１０１」の取得要求をサーバ側通信部１１が受信し、サーバ制御部１３が検出し、コンテンツ管理部１５へ送信する。
【０１０１】
コンテンツ管理部１５は、配信コンテンツ格納部１４から、コンテンツＩＤ「Ｃ０１０１」に対応する、コンテンツ「ＡＢＣ新聞」と配信コンテンツ情報とを読み出す。
【０１０２】
サーバ制御部１３は、コンテンツ管理部１５により読み出されたコンテンツ「ＡＢＣ新聞」と「ＡＢＣ新聞」の配信コンテンツ情報とを、サーバ側通信部１１を介しキオスク端末３０へ送信する（Ｓ１６）。
【０１０３】
送信後、アカウント管理部１７は、送信したコンテンツの閲覧料金の事後精算を行なうための情報である精算情報に、送信した「ＡＢＣ新聞」のコンテンツＩＤ等を記録する。精算情報の詳細については図９を用いて後述する。
【０１０４】
キオスク端末３０は、コンテンツ「ＡＢＣ新聞」と「ＡＢＣ新聞」の配信コンテンツ情報とを受信し、ＩＣカード４０へ送信する（Ｓ１６）。
【０１０５】
ＩＣカード４０では、通信端子４１が、コンテンツ「ＡＢＣ新聞」と「ＡＢＣ新聞」の配信コンテンツ情報とを受信する。
【０１０６】
カード制御部４３は、通信端子４１が受信したコンテンツ「ＡＢＣ新聞」を取得コンテンツ格納部４４に格納し、また、通信端子４１が受信した「ＡＢＣ新聞」の配信コンテンツ情報を、取得コンテンツ情報としてコンテンツ格納部４４に格納する（Ｓ１８）。取得コンテンツ情報の詳細については図１０を用いて後述する。
【０１０７】
上記保存が完了すると、キオスク端末３０では、タッチパネル３５が配信メニュー画面３００を表示し、ユーザからの新たな選択、または指示を待ち受ける。
【０１０８】
ここで、上述の、コンテンツ「ＡＢＣ新聞」の取得を行なったユーザが、更にコンテンツ「週刊サッカーＦＣ」を取得したと想定し、以下の説明を行なう。
【０１０９】
図９は、コンテンツ配信サーバ１０に備えられたアカウント情報格納部１６に格納されている精算情報のデータ構成の一例を示す図である。
【０１１０】
図９に示す精算情報は、上述の、ユーザＩＤが「Ｕ４００００１」であるユーザが２つのコンテンツの取得を行なった後の精算情報であり、コンテンツＩＤが「Ｃ０１０１」である「ＡＢＣ新聞」（図４参照）と、コンテンツＩＤが「Ｃ０３０４」である「週刊サッカーＦＣ」（図４参照）とが取得された情報を示している。
【０１１１】
本実施の形態のコンテンツ配信システム１は、コンテンツの取得行為には課金せず、コンテンツの閲覧に対して課金するシステムであり、そのため、どのユーザが、どのコンテンツを取得し、その中のどのコンテンツがユーザに閲覧されたかを示す情報をコンテンツ配信サーバ１０が管理する必要がある。
【０１１２】
そのため、コンテンツ配信サーバ１０は、上記情報を精算情報としてアカウント情報格納部１６に保存している。
【０１１３】
精算情報は、取得されたコンテンツと、取得されたコンテンツの中でユーザに閲覧されたコンテンツとを特定するための情報であり、データ項目としてユーザＩＤと、コンテンツＩＤと、サブコンテンツＩＤと、送信日と、精算日と、既読判断と、要請求とがある。
【０１１４】
ユーザＩＤは、コンテンツを取得したユーザのユーザＩＤであり、コンテンツＩＤは、取得されたコンテンツに付与されたコンテンツＩＤであり、サブコンテンツＩＤは、取得されたコンテンツに含まれるサブコンテンツのサブコンテンツＩＤである。
【０１１５】
送信日は、ユーザがコンテンツを取得した日、つまり、コンテンツ配信サーバ１０がコンテンツを送信した日であり、精算日は、ユーザが精算を行なった日である。
【０１１６】
既読判断は、ユーザが各サブコンテンツを閲覧済みであるか否かを特定する情報であり、要請求はユーザに請求する必要があるか否かを特定する情報である。
【０１１７】
なお、上記の精算日と既読判断と要請求とは、ユーザが精算を行なう際に記録される。つまり、ユーザＩＤが「Ｕ４００００１」であるユーザは、精算を行なっていないため、精算日と既読判断と要請求とは空欄のままである。ユーザが精算を行なった後の精算情報は、図２２を用いて後述する。
【０１１８】
図１０は、ＩＣカード４０に備えられた取得コンテンツ格納部４４に格納されている取得コンテンツ情報のデータ構成例を示す図である。
【０１１９】
図１０に示す取得コンテンツ情報は、上述の、ユーザＩＤが「Ｕ４００００１」であるユーザが２つのコンテンツの取得を行なった後の取得コンテンツ情報であり、コンテンツＩＤが「Ｃ０１０１」である「ＡＢＣ新聞」と、コンテンツＩＤが「Ｃ０３０４」である「週刊サッカーＦＣ」とを取得したことを示している。
【０１２０】
取得コンテンツ情報は、取得コンテンツ情報と同時に取得コンテンツ格納部４４に格納された、取得したコンテンツに関する情報であり、図４に示した配信コンテンツ情報の中の、取得したコンテンツに対応する個別配信サブコンテンツ情報で構成されている。
【０１２１】
つまり、図４に示した配信コンテンツ情報と同じ項目であり、コンテンツＩＤと、コンテンツ名と、サブコンテンツＩＤと、サブコンテンツ名と、表示用要約と、閲覧料金とがある。
【０１２２】
この取得コンテンツ情報は、ユーザが閲覧端末５０を用いてコンテンツを閲覧する際の目次情報として用いられ、ユーザが取得したコンテンツに含まれるサブコンテンツの名前や、要約や、閲覧料金を見ることができる。また、図１８を用いて後述する利用実績情報の基礎ともなる。
【０１２３】
図１１は、タッチパネル３５が表示する内容確認画面３２０の一例を示す図である。
図１１に示す内容確認画面３２０は、図７に示した配信メニュー画面３００において、ユーザにより「ＡＢＣ新聞」が選択された後に内容確認ボタン３０３がタッチされることによりキオスク端末制御部３４が生成し、タッチパネル３５が表示する内容確認画面である。
【０１２４】
内容確認画面３２０には、コンテンツ名表示欄３２１と、サブコンテンツ要約表示領域３２２と、閲覧料金表示欄３２３と、「戻る」と表示されたメニュー画面表示ボタン３２４と、取得ボタン３０２とが表示されている。
【０１２５】
コンテンツ名表示欄３２１には、コンテンツＩＤとコンテンツ名とが表示され、サブコンテンツ要約表示領域３２２には、コンテンツに含まれる全てのサブコンテンツのサブコンテンツ名及び要約と、各サブコンテンツに付与されたサブコンテンツＩＤの一部である連番とが表示されている。
【０１２６】
閲覧料金表示欄３２３には、サブコンテンツを閲覧した場合にユーザが請求される料金が表示されており、例えば、「０１  社会」を閲覧した場合は「２０円」が請求されることを示している。
【０１２７】
「戻る」と表示されたメニュー画面表示ボタン３２４は、内容確認画面３２０から、図７に示した配信メニュー画面３００に戻るためのボタンである。
【０１２８】
取得ボタン３０２は、図７を用いて行なった配信メニュー画面３００の説明で述べたようにコンテンツをユーザが取得するためのボタンであり、ユーザは、内容確認画面３２０において取得ボタン３０２をタッチすることにより、上述の説明と同様にコンテンツ「ＡＢＣ新聞」の取得を行なうことができる。
【０１２９】
［（２）ユーザがコンテンツを閲覧する際の動作］
次に、ユーザが取得したコンテンツを閲覧する際の、ＩＣカード４０及び閲覧端末５０の動作を図１２〜図１８を用いて説明する。
【０１３０】
図１２は、ユーザがコンテンツを閲覧する際の、ＩＣカード４０と閲覧端末５０との間で行なわれるデータのやり取り及び、動作の流れを示すシーケンス図である。
【０１３１】
なお、以下の説明に登場するユーザは、上述の、ユーザＩＤが「Ｕ４００００１」であるユーザであり、上述の、コンテンツ「ＡＢＣ新聞」及びコンテンツ「週刊サッカーＦＣ」の取得を行なった後に、ユーザがコンテンツを閲覧する場合を想定し、説明を行なう。
【０１３２】
また、閲覧端末５０は上述のようにＩＣカード４０に記憶されたコンテンツを出力する端末装置であり、例えばＰＤＡによって実現される。
【０１３３】
ユーザは、ＩＣカード４０を閲覧端末側カードスロット５１に挿入し（Ｓ２０）、ＩＣカード４０を使用するための暗証番号であるＰＩＮをタッチパネル３５から入力する。ＩＣカード４０はＰＩＮが正しいことを確認し、閲覧端末５０に認証を求める。
【０１３４】
閲覧端末５０は、上述のコンテンツ配信サーバ１０と同様に公開鍵及び電子証明書を閲覧端末側ＰＫＩ認証部５３に保持しており、ＩＣカード４０と暗号化された通信を行なう。
【０１３５】
認証を求められた閲覧端末５０は、ＩＣカード４０と暗号化された通信を行ない、ＩＣカード４０と閲覧端末５０とは、互いに正当性を確認し、閲覧端末５０は、現在の通信相手はユーザＩＤ「Ｕ４００００１」のユーザであると特定し閲覧端末５０との通信を認証する（Ｓ２１）。
【０１３６】
暗号化及び復号化は、ＩＣカード４０ではカード側ＰＫＩ認証部４２が行ない、閲覧端末５０では閲覧端末側ＰＫＩ認証部５３が行なう。なお、以下の説明で述べる、ＩＣカード４０と閲覧端末５０との間でやりとりされるデータは全て暗号化される。そのため、一つ一つのデータについての暗号化及び復号化の説明は省略する。
【０１３７】
ＩＣカード４０に備えられた取得コンテンツ格納部４４は、コンテンツ「ＡＢＣ新聞」及びコンテンツ「週刊サッカーＦＣ」と、それら取得した２つのコンテンツに関する情報である図１０に示した取得コンテンツ情報とを格納している。
【０１３８】
カード制御部４３は、取得コンテンツ格納部４４に格納されている取得コンテンツ情報を読み出し、通信端子４１を介し、閲覧端末５０へ送信する（Ｓ２２）。
【０１３９】
閲覧端末５０では、閲覧端末側通信部５２が取得コンテンツ情報を受信する。閲覧端末側制御部５４がその取得コンテンツ情報を利用し、閲覧メニュー画面を生成する。表示部５５は生成された閲覧メニュー画面を表示する（Ｓ２３）。
【０１４０】
図１３は、閲覧端末５０に備えられた表示部５５が表示する閲覧メニュー画面５００の一例を示す図である。閲覧メニュー画面５００には、コンテンツ名表示領域５０１が表示されている。
【０１４１】
なお、閲覧端末側カードスロット５１は閲覧端末５０の上部に備えられており、図１３は、閲覧端末側カードスロット５１にＩＣカード４０が挿入されている状態を示している。
【０１４２】
また、閲覧メニュー画面５００など、表示部５５が表示する各画面と表示部５５の領域とは同一であるため、表示部５５の図示は省略する。
【０１４３】
コンテンツ名表示領域５０１は、ユーザが、閲覧するコンテンツを選択するためのコンテンツ名を表示する領域であり、ユーザが取得したコンテンツに付与されたコンテンツＩＤとコンテンツ名とが表示されている。
【０１４４】
ポインティングデバイスである入力部５６をユーザが操作することにより、閲覧するコンテンツの選択が行なわれる。具体的には、ユーザはコンテンツ名をクリックすることにより、コンテンツに含まれるサブコンテンツのリスト、つまりコンテンツの目次となる情報を見ることができる。
【０１４５】
ユーザが、入力部５６を操作することにより、コンテンツ名表示領域５０１に表示されている「ＡＢＣ新聞」をクリックすると、閲覧端末制御部５４がそのクリックを受け付ける。閲覧端末制御部５４は図１４に示す閲覧コンテンツ内容表示画面５１０を生成し、表示部５５は生成された閲覧コンテンツ内容表示画面５１０を表示する。
【０１４６】
図１４は、閲覧端末５０に備えられた表示部５５が表示する閲覧コンテンツ内容表示画面５１０の一例を示す図である。閲覧コンテンツ内容表示画面５１０には、階層表示欄５１１と、サブコンテンツ選択領域５１２と閲覧料金表示欄５１３とが表示されている。
【０１４７】
階層表示欄５１１は、現在表示している画面を特定する情報を表示する表示欄であり、図１４の階層表示欄５１１が示す「閲覧メニュー＞ＡＢＣ新聞」は、現在の表示画面は閲覧メニュー直下の階層にある「ＡＢＣ新聞」のサブコンテンツについての情報であることを意味する。
【０１４８】
また、階層表示欄５１１に表示される文字列の一部にはリンクボタンの役割もあり、図１４の階層表示欄５１１が示す「閲覧メニュー＞ＡＢＣ新聞」の中の「閲覧メニュー」部分をユーザがクリックすると、表示部５５は、上述の閲覧メニュー画面５００を表示する。
【０１４９】
サブコンテンツ選択領域５１２は、ユーザが閲覧するサブコンテンツを選択するための領域であり、ユーザは閲覧を所望するサブコンテンツをクリックすることにより、そのサブコンテンツを閲覧することができる。
【０１５０】
閲覧料金表示欄５１３は、各サブコンテンツの閲覧料金を表示する表示欄であり、ユーザは、閲覧前に各サブコンテンツの閲覧料金を確認することができる。
【０１５１】
ユーザが、入力部５６を操作することにより、サブコンテンツ選択領域５１２に表示されている「０１  社会」の要約である「各地で記録的猛暑・・・」をクリックすると、閲覧端末制御部５４がそのクリックを受け付ける。（Ｓ２４）
閲覧端末制御部５４は、図１５に示す閲覧確認ダイアログボックス５２０を生成し、表示部５５は生成された閲覧確認ダイアログボックス５２０を表示する。
【０１５２】
図１５は、閲覧端末５０に備えられた表示部５５が表示する閲覧確認ダイアログボックス５２０の一例を示す図である。閲覧確認ダイアログボックス５２０は、閲覧端末５０がユーザに閲覧料金の確認をさせ、閲覧の了解を得るためのダイアログボックスである。
【０１５３】
図１５に示す閲覧確認ダイアログボックス５２０には、上記の確認等のための文章のほかに、閲覧ボタン５２１と、キャンセルボタン５２２とが表示されている。
【０１５４】
図１５に示す閲覧確認ダイアログボックス５２０は、閲覧端末５０がユーザにサブコンテンツ「０１  社会」の閲覧料金が「２０円」であることを確認させ、閲覧の了解を求めている。
【０１５５】
ユーザにより閲覧ボタン５２１がクリックされると、閲覧端末制御部５４は、閲覧端末側通信部５２を介し、ＩＣカード４０に、サブコンテンツ「０１  社会」の取得要求を送信する（Ｓ２５）。
【０１５６】
具体的には、閲覧端末制御部５４が「０１  社会」のサブコンテンツＩＤである「Ｃ０１０１−０１」（図１０参照）を表示用情報格納部３６から読み出し、「Ｃ０１０１−０１」の取得要求をＩＣカード４０に送信する。
【０１５７】
なお、キャンセルボタン５２２がクリックされると、閲覧確認ダイアログボックス５２０は閉じられ、表示部５５は閲覧コンテンツ内容表示画面５１０を表示する。
【０１５８】
ＩＣカード４０では、カード制御部４３が、通信端子４１が受信した「Ｃ０１０１−０１」の取得要求を検出し、取得コンテンツ格納部４４から、サブコンテンツＩＤ「Ｃ０１０１−０１」に対応する、サブコンテンツ「０１  社会」を読み出す。
【０１５９】
カード制御部４３は、読み出したサブコンテンツ「０１  社会」を、通信端子４１を介し閲覧端末５０へ送信する（Ｓ２６）。
【０１６０】
閲覧端末５０は、閲覧端末側通信部５２が、サブコンテンツ「０１  社会」を受信し、閲覧端末制御５４が、図１６に示すサブコンテンツ表示画面を生成し、表示部５５は生成されたサブコンテンツ表示画面を表示する（Ｓ２７）。
【０１６１】
図１６は、閲覧端末５０に備えられた表示部５５が表示するサブコンテンツ表示画面５３０の一例を示す図である。サブコンテンツ表示画面５３０には、階層表示欄５１１と、サブコンテンツに含まれる各記事が表示されている。
【０１６２】
階層表示欄５１１には「閲覧メニュー＞ＡＢＣ新聞＞０１社会」と表示されており、現在表示中の画面は、コンテンツ「ＡＢＣ新聞」に含まれるサブコンテンツ「０１  社会」であることを示している。
【０１６３】
サブコンテンツ表示画面５３０には、サブコンテンツ「０１社会」の各記事が表示されており、ユーザは、サブコンテンツ表示画面５３０の右部に表示されているスクロールバーを入力部５６から操作することにより、サブコンテンツ「０１  社会」の全ての記事を閲覧することができる。
【０１６４】
また、ユーザは、階層表示欄５１１に表示されている「ＡＢＣ新聞」をクリックすることにより、図１７に示す閲覧コンテンツ内容表示画面５１０に戻ることができる。
【０１６５】
なお、上記閲覧後の閲覧コンテンツ内容表示画面５１０は、図１７に示すように、サブコンテンツ選択領域５１２において「０１  社会」の要約文の左にチェックが付され、閲覧料金表示欄５１３には「（２０円）」と閲覧料金に括弧が付されている。これらチェック及び括弧は、ユーザに閲覧済みのサブコンテンツを確認させるためである。
【０１６６】
閲覧端末制御部５４は、表示部５５がサブコンテンツを表示したことを確認し、「Ｃ０１０１−０１」であるサブコンテンツがユーザに閲覧された履歴をＩＣカード４０に記録させるために、ＩＣカード４０に利用実績情報の更新命令を送信する（Ｓ２８）。
【０１６７】
ＩＣカード４０では、上記の更新命令を通信端子４１が受信し、カード制御部４３がその命令を検出する。カード制御部４３は、利用実績情報格納部４５に格納されている利用実績情報の更新を行なう。
【０１６８】
図１８は、ＩＣカード４０に備えられた利用実績格納部４５に格納されている利用実績情報のデータ構成例を示す図である。利用実績情報には、データ項目として、コンテンツＩＤと、サブコンテンツＩＤと、出力とがある。
【０１６９】
コンテンツＩＤ及びサブコンテンツＩＤは、ユーザが取得し、取得コンテンツ格納部４４に格納されているコンテンツに付与されたコンテンツＩＤ及びそのコンテンツに含まれるサブコンテンツに付与されたサブコンテンツＩＤである。
【０１７０】
利用実績情報は、ユーザが取得したコンテンツのうち、ユーザに閲覧されたサブコンテンツを特定するための情報であり、出力が「済」になっているものユーザに閲覧されたサブコンテンツである。図１８に示す利用実績情報は、ユーザがサブコンテンツの閲覧を繰り返し、５つのサブコンテンツを閲覧した後の利用実績情報を示している。
【０１７１】
なお、この利用実績情報をコンテンツ配信サーバ１０が受信することにより、コンテンツ配信サーバ１０はユーザが閲覧したサブコンテンツを特定し、ユーザに請求すべき金額の集計を行なう。
【０１７２】
［（３）ユーザがサブコンテンツの閲覧料金を精算する際の動作］
次に、ユーザがサブコンテンツの閲覧料金を精算する際の、コンテンツ配信サーバ１０、キオスク端末３０及びＩＣカード４０の動作を図７及び図１８〜図２４を用いて説明する。
【０１７３】
図１９は、ユーザがサブコンテンツの閲覧料金を精算する際の、ＩＣカード４０と、キオスク端末３０と、コンテンツ配信サーバ１０との間で行なわれるデータのやり取り及び、動作の流れを示すシーケンス図である。
【０１７４】
図１９に示すシーケンス図において、コンテンツ配信サーバ１０が行なうキオスク端末３０のメニューの送信（Ｓ１０）から、コンテンツ配信サーバ１０が行なうＩＣカード４０の認証（Ｓ１３）までは、図６を用いて行なった、ユーザがコンテンツを取得する際の動作の説明と同じであり、ここでの説明は省略する。
【０１７５】
キオスク端末３０のキオスク端末側カードスロット３２には、ユーザによりＩＣカード４０が挿入され、タッチパネル３５には、図７に示す配信メニュー画面３００が表示されている。また、以下に登場するユーザは上述の説明と同じく、ユーザＩＤが「Ｕ４００００１」のユーザである場合を想定する。
【０１７６】
図７に示す配信メニュー画面３００において、ユーザにより「ご利用精算」と表示された精算画面表示ボタン３０４がタッチされる。キオスク端末制御部３４は、そのタッチを受け付け、ＩＣカード４０に利用実績の送信を要求する。ＩＣカード４０では、カード制御部４３が利用実績格納部に格納されている利用実績を読み出し、通信端子４１を介して、キオスク端末３０に利用実績を送信する（Ｓ３０）。
【０１７７】
送信された利用実績をキオスク端末側第２通信部３３が受信し、キオスク端末制御部３４は、受信した利用実績情報を表示用情報格納部３６に格納する。キオスク端末制御部３４は更に、表示用情報格納部３６に格納されている配信コンテンツ情報（図４参照）と利用実績情報（図１８参照）とに基づき、図２０に示す精算画面３３０を生成する。タッチパネル３５は生成された精算画面３３０を表示する。
【０１７８】
図２０は、タッチパネル３５が表示する精算画面３３０の一例を示す図である。精算画面３３０には、既読サブコンテンツ表示欄３３１と、精算額表示欄３３２と、未読サブコンテンツ表示欄３３３と、削除チェックボックス３３４と、精算ボタン３３５と、「戻る」と表示されたメニュー画面表示ボタン３２４とが表示されている。
【０１７９】
既読サブコンテンツ表示欄３３１は、ユーザがコンテンツを取得後、閲覧したサブコンテンツを示す表示欄であり、各サブコンテンツ名の右に閲覧料金が表示されている。精算額表示欄３３２は、既読コンテンツ表示欄３３１に表示されている各サブコンテンツの閲覧料金の合計を表示する表示欄である。
【０１８０】
未読サブコンテンツ表示欄３３３は、ユーザがコンテンツの取得後、閲覧しなかったサブコンテンツを示す表示欄であり、削除チェックボックス３３４の右に各サブコンテンツが表示されている。
【０１８１】
削除チェックボックス３３４は、ユーザが、未読のサブコンテンツの中で不要であるサブコンテンツを、ＩＣカード４０の取得コンテンツ格納部４４から削除したい場合に、その削除したい未読のサブコンテンツを指定するためのチェックボックスである。閲覧料金の精算時にチェックされた未読のサブコンテンツは取得コンテンツ格納部４４から削除される。
【０１８２】
精算ボタン３３５は、既読サブコンテンツ表示欄３３１に表示されている既読のサブコンテンツについて閲覧料金の精算を行ない、また同時に、既読のサブコンテンツと削除チェックボックス３３４がチェックされた未読のサブコンテンツとをＩＣカード４０の取得コンテンツ格納部４４から削除するためのボタンである。
【０１８３】
メニュー画面表示ボタン３２４は、精算画面３３０から、図７に示した配信メニュー画面３００に戻るためのボタンである。
【０１８４】
図２０に示す精算画面３３０は、図１８に示した利用実績情報を反映しており、利用実績情報において出力の欄が「済」になっているサブコンテンツが既読サブコンテンツ表示欄３３１に表示されている。また、利用実績情報において出力の欄が空欄になっているサブコンテンツが未読サブコンテンツ表示欄３３３に表示されている。
【０１８５】
なお、ユーザにより削除チェックボックス３３４がチェックされた場合は、キオスク端末制御部３４は、そのチェックを受け付け、表示用情報格納部３６に格納されている利用情報の上記チェックの行なわれたサブコンテンツの出力の欄に「削除」と記録する。
【０１８６】
図２０に示す精算画面３３０において、ユーザにより精算ボタン３３５がタッチされると、キオスク端末制御部３４は精算要求を受け付け、図２１に示す精算確認ダイアログボックス３４０を生成する。タッチパネル３５は、生成された精算確認ダイアログボックス３４０を表示する（Ｓ３１）。
【０１８７】
図２１は、タッチパネル３５が表示する精算確認ダイアログボックス３４０の一例を示す図である。
【０１８８】
精算確認ダイアログボックス３４０は、キオスク端末３０がユーザにサブコンテンツの閲覧料金の精算の了解を求め、精算時に既読のサブコンテンツのＩＣカード４０からの削除を行なうことをユーザに確認させるためのダイアログボックスである。
【０１８９】
図２１に示す精算確認ダイアログボックス３４０には、上記の確認等のための文章のほかに、精算実行ボタン３４１と、キャンセルボタン３４２とが表示されている。
【０１９０】
ユーザにより精算実行ボタン３４１がタッチされると、キオスク端末制御部３４は、キオスク端末側第１通信部３１を介し、コンテンツ配信サーバ１０に、利用実績情報を送信する（Ｓ３２）。なお、キャンセルボタン３４２がタッチされると、精算確認ダイアログボックス３４０は閉じられ、タッチパネル３５は精算画面３３０を表示する。
【０１９１】
コンテンツ配信サーバ１０では、サーバ制御部１３が、サーバ側通信部１１が受信した利用実績情報を検出し、アカウント管理部１７に送信する。
【０１９２】
アカウント管理部１７は、受信した利用実績情報に基づきアカウント情報格納部１６に格納されている精算情報（図９参照）の更新を行なう（Ｓ３３）。図２２は、この更新後の精算情報のデータ構成例を示す図である。
【０１９３】
図２２に示す精算情報では、図１８に示した利用情報が反映され、利用情報の出力の欄が「済」のサブコンテンツ、つまりユーザによって閲覧されたサブコンテンツは、精算情報において、既読判断の欄に「済」と記録され要請求の欄に「○」と記録されている。さらに、精算日の欄には精算を行なった日付が記録されている。
【０１９４】
なお、利用情報の出力の欄が「削除」である場合は、精算情報の該当するサブコンテンツの既読判断の欄に「削除」と記録される。
【０１９５】
サーバ制御部１３は、精算情報の既読判断の欄が「済」または「削除」のサブコンテンツのサブコンテンツＩＤを読み出し、それらサブコンテンツＩＤに対応するサブコンテンツをＩＣカード４０から削除する削除命令をサーバ側通信部１１を介し、キオスク端末３０に送信する（Ｓ３４）。
【０１９６】
キオスク端末３０では、キオスク端末側第１通信部３１が削除命令を受信し、キオスク端末側第２通信部３３を介しＩＣカード４０へ送信する。ＩＣカード４０では、通信端子４１が削除命令を受信し、カード制御部４３が削除命令に含まれるサブコンテンツＩＤに対応するサブコンテンツを取得コンテンツ格納部４４から削除する（Ｓ３５）。
【０１９７】
上記削除の動作（Ｓ３５）により、図２０に示した精算画面３３０が示す既読のサブコンテンツが取得コンテンツ格納部４４から削除される。また、精算画面３３０において削除チェックボックス３３４がチェックされた場合は、そのチェックされたサブコンテンツも取得コンテンツ格納部４４から削除される。
【０１９８】
なおコンテンツ配信サーバ１０に備えられた請求管理部１８は、月に一度、アカウント情報格納部１６に格納されている精算情報とユーザ情報（図５参照）と、配信コンテンツ格納部１４に格納されている配信コンテンツ情報（図４参照）とを読み出し、要請求が「○」であるサブコンテンツについてユーザ毎に閲覧料金を集計し、請求情報を生成する。
【０１９９】
請求管理部１８は、生成した請求情報をユーザ情報に記録されている決済口座を有する金融機関等に送信する。請求情報を受信した金融機関等とユーザとの間で閲覧料金が決済される。つまり、月に一度、閲覧料金の決済が行なわれる。
【０２００】
また、一定期間、閲覧料金の精算も削除もされないサブコンテンツについては、ユーザによって閲覧されているが未精算のままであるのか、または未読のままであるのかはコンテンツ配信サーバ１０では認識できない。そのため、請求管理部１８は定期的にユーザ毎に未精算サブコンテンツリストを生成する。生成された未請求サブコンテンツリストは所定の手段でユーザに送付され、ユーザに精算または削除を行なうよう要請を行なう。
【０２０１】
なお、図６を用いて、ユーザがコンテンツの取得をする際のコンテンツ配信サーバ１０、キオスク端末３０及びＩＣカード４０の動作を説明したが、コンテンツ取得時の動作を明確に説明するため、ＩＣカード４０にはコンテンツが保存されていない状態、つまり、サブコンテンツの閲覧料金の精算及び削除が行なわれない状態で、取得に関する動作のみ説明した。
【０２０２】
しかし、ＩＣカード４０に既読のサブコンテンツが保存されている場合は、サブコンテンツの閲覧料金の精算及び削除が行なわれる。そこで、ＩＣカード４０にコンテンツが保存され、その中に既読のサブコンテンツが存在する場合に、コンテンツを取得する際のコンテンツ配信サーバ１０、キオスク端末３０及びＩＣカード４０の動作を図２３を用いて説明する。
【０２０３】
図２３は、ユーザが、既読のサブコンテンツが保存されているＩＣカード４０を用いてコンテンツを取得する際の、ＩＣカード４０と、キオスク端末３０と、コンテンツ配信サーバ１０との間で行なわれるデータのやり取り及び、動作の流れを示すシーケンス図である。
【０２０４】
なお、図２３に示すシーケンス図において、コンテンツ配信サーバ１０が行なうメニューの送信（Ｓ１０）から、コンテンツ配信サーバ１０とＩＣカード４０との認証（Ｓ１３）までは、図６を用いて述べた、ユーザがコンテンツを取得する際の動作と同じであり、ここでの説明は省略する。
【０２０５】
ユーザは、タッチパネル３５に表示されているメニュー画面３００（図７参照）において、ユーザにより何れかのコンテンツ選択ボタン３０１がタッチされコンテンツが選択される。さらに、取得ボタン３０２がタッチされるとキオスク端末制御部３４は取得要求を受け付け、取得確認ダイアログボックス３１０（図８参照）を生成し、タッチパネル３５が表示する（Ｓ４０）。
【０２０６】
取得確認ダイアログボックス３１０において、ユーザにより取得実行ボタン３１１がタッチされると、キオスク端末制御部３４は、そのタッチを受け付け、ＩＣカード４０に利用実績の送信を要求する。ＩＣカード４０では、カード制御部４３が利用実績格納部に格納されている利用実績情報（図１８参照）を読み出し、通信端子４１を介して、キオスク端末３０に利用実績を送信する（Ｓ４１）。
【０２０７】
キオスク端末制御部３４は、ＩＣカード４０から受信した利用実績情報と、ユーザから要求されたコンテンツＩＤとをキオスク端末側第１通信部３１を介しコンテンツ配信サーバ１０へ送信する（Ｓ４２）。
【０２０８】
コンテンツ配信サーバ１０では、サーバ側通信部１１が利用実績情報とコンテンツＩＤとを受信し、サーバ制御部１３が、利用実績情報をアカウント管理部１７へ送信し、コンテンツＩＤをアカウント管理部１７へ送信する。
【０２０９】
アカウント管理部１７は、アカウント情報格納部１６に格納されている精算情報（図２２参照）を、受信した利用実績に基づき更新し（Ｓ４３）、サーバ制御部１３は、精算情報の既読判断の欄が「済」のサブコンテンツのサブコンテンツＩＤを読み出し、それらサブコンテンツＩＤに対応するサブコンテンツをＩＣカード４０から削除する削除命令をサーバ側通信部１１を介し、キオスク端末３０に送信する（Ｓ４４）。
【０２１０】
キオスク端末３０では、キオスク端末側第１通信部３１が削除命令を受信し、キオスク端末側第２通信部３３を介しＩＣカード４０へ送信する。ＩＣカード４０では、通信端子４１が削除命令を受信し、カード制御部４３が削除命令に含まれるサブコンテンツＩＤに対応するサブコンテンツを取得コンテンツ格納部４４から削除する（Ｓ４５）。つまり、ユーザが閲覧済みのサブコンテンツが取得コンテンツ格納部４４から削除される。
【０２１１】
上記のコンテンツの削除（Ｓ４５）後、コンテンツ配信サーバ１０では、コンテンツ管理部１５が受信したコンテンツＩＤに対応するコンテンツと配信コンテンツ情報とを読み出す。サーバ制御部１３は、コンテンツ管理部１５により読み出されたコンテンツと配信コンテンツ情報とを、サーバ側通信部１１を介しキオスク端末３０へ送信する（Ｓ４６）。
【０２１２】
送信後、アカウント管理部１７は、送信したコンテンツの閲覧料金の精算を行なうための情報である精算情報に、送信したコンテンツのコンテンツＩＤ等を記録する（Ｓ４７）。
【０２１３】
キオスク端末３０は、コンテンツと配信コンテンツ情報とを受信し、ＩＣカード４０へそのまま送信する。ＩＣカード４０では、通信端子４１が、コンテンツと配信コンテンツ情報とを受信し、カード制御部４３が、通信端子４１が受信したコンテンツを取得コンテンツ格納部４４に格納し、また、通信端子４１が受信した配信コンテンツ情報を、取得コンテンツ情報としてコンテンツ格納部４４に格納する（Ｓ４８）。
【０２１４】
上記保存が完了すると、キオスク端末３０では、タッチパネル３５が配信メニュー画面３００を表示し、ユーザからの新たな選択、または指示を待ち受ける。
【０２１５】
上述のように、ユーザはコンテンツの取得と、ＩＣカード４０に保存されている既読のサブコンテンツの削除を同時に行なうことができる。ＩＣカード４０に保存されている未読のサブコンテンツの削除は、図７に示した配信メニュー画面３００において、「ご利用精算」と表示された精算画面表示ボタン３０４をタッチするとタッチパネル３５に表示される、図２４に示す精算画面３５０において行なうことができる。
【０２１６】
図２４に示す精算画面３５０は、ＩＣカード４０が未読のサブコンテンツのみ保存している場合の精算画面の例を示す図である。未読サブコンテンツ表示欄３５１と、削除チェックボックス３５２と、精算ボタン３５３と、「戻る」と表示されたメニュー画面表示ボタン３２４とが表示されている。
【０２１７】
ユーザは、ＩＣカード４０から削除したい未読のサブコンテンツの削除チェックボックス３５２をチェックし、精算ボタン３５２をタッチすることにより、キオスク端末３０を介し、その削除要求はＩＣカード４０へ送信される。
【０２１８】
ＩＣカード４０では利用実績格納部４５に格納されている利用実績情報（図１８参照）の削除されたサブコンテンツの出力の欄に、カード制御部４３により「削除」と記録される。この利用実績情報はキオスク端末３０を介しコンテンツ配信サーバ１０へ送信され、コンテンツ配信サーバ１０では、アカウント管理部１７が、精算情報の更新を行なう。
【０２１９】
上記精算情報の更新後、コンテンツ配信サーバ１０がサブコンテンツの削除命令をキオスク端末３０へ送信し、その削除命令はキオスク端末３０を介しＩＣカード４０が受信する。ＩＣカード４０ではカード制御部４３がサブコンテンツの削除を行なう。つまり、ユーザが精算画面３５０においてチェックした未読のサブコンテンツがＩＣカード４０から削除される。
【０２２０】
上述したように、本発明の実施の形態である、コンテンツ配信システムは、コンテンツの取得自体には課金されず、閲覧したサブコンテンツにのみ課金されるため、ユーザはどのコンテンツを取得すべきかについて悩む必要がなく、気軽にコンテンツの取得を行なうことができる。
【０２２１】
また、取得はコンテンツ単位であるが、課金はコンテンツに含まれるサブコンテンツ単位であるため、ユーザに無駄な負担を強いることがなく、効率性、経済性に優れている。
【０２２２】
また、ＩＣカード４０とコンテンツ配信サーバ１０とによりユーザの認証および閲覧料金の精算を行なうが、ＩＣカード４０は正しいＰＩＮの入力を前提としているため、正当なユーザしか使用することができない。またＩＣカード４０及びコンテンツ配信サーバ１０はともにＰＫＩ認証機能を持ち、互いの正当性を確認した後にデータのやり取りを行なうため、ユーザは閲覧料金の精算を安全に行なうことができる。
【０２２３】
さらに、ＩＣカード４０は閲覧料金の精算機能に加え、取得したコンテンツの記憶及び管理機能を持つため、ユーザは料金精算のためのカードとコンテンツ保存のためのカードを別々に持つ必要がなく、コンテンツの閲覧は閲覧端末５０とＩＣカード４０とを持つだけでよく、携帯性が非常によい。
【０２２４】
つまり、閲覧端末５０とＩＣカード４０とを携行すれば、外出先のキオスク端末３０でコンテンツの取得及び閲覧料金の精算を行なうことができるため、気軽に外出先でコンテンツをたのしむことができる。
【０２２５】
なお、上述の実施の形態では、コンテンツの取得はコンテンツ単位で行なうとしているが、これはサブコンテンツ単位で取得できてもよい。
【０２２６】
その場合、図１１に示した内容確認画面３２０にて、表示されている各サブコンテンツが選択されるためのチェックボックスを備えるなど、ユーザが選択を行なえる機能を持たせればよく、キオスク端末３０及びコンテンツ配信サーバ１０は、コンテンツＩＤの代わりにサブコンテンツＩＤでユーザの要求を処理すればよい。
【０２２７】
また、サブコンテンツ単位で取得を可能にした場合、ユーザが好みのサブコンテンツの組み合わせを自由に決定でき、その組み合わせを保存する機能をコンテンツ配信サーバ１０に持たせてもよい。
【０２２８】
例えば、ユーザの好みのサブコンテンツの組み合わせを「マイメニュー」と称し、キオスク端末３０にてマイメニューの登録と呼び出しとを可能にし、ユーザの簡単な操作で、マイメニューに登録されたサブコンテンツをユーザに取得させてもよい。
【０２２９】
図２５に示す配信メニュー画面３６０には、登録ボタン３６１と呼出ボタン３６２とが表示されており、ユーザはこの配信メニュー画面３６０から、マイメニューを登録するための画面の表示、またはマイメニューの呼び出しが行なえる。
【０２３０】
ユーザにより登録ボタン３６１がタッチされると、キオスク端末制御部３４はそのタッチを受け付け、図２６に示すマイメニュー登録画面３７０を生成し、タッチパネル３５が生成されたマイメニュー登録画面３７０を表示する。
【０２３１】
図２６に示すマイメニュー登録画面３７０には、サブコンテンツ選択領域３７１と、登録選択チェックボックス３７２と、登録実行ボタン３７３とが表示されている。
【０２３２】
サブコンテンツ選択領域３７１は、ユーザがマイメニューに登録したいサブコンテンツの選択を行なう領域であり、登録選択チェックボックス３７２をチェックすることにより、好みのサブコンテンツを選択することができる。
【０２３３】
ユーザにより、いくつかの登録選択チェックボックス３７２がチェックされ、つまりマイメニューに登録するサブコンテンツが選択され、登録実行ボタン３７３がタッチされると、キオスク端末制御部３４はそのタッチを受け付け、選択されたサブコンテンツのサブコンテンツＩＤを、キオスク端末側第１通信部３１を介し、コンテンツ配信サーバ１０に送信する。
【０２３４】
コンテンツ配信サーバ１０では、サーバ側通信部１１がサブコンテンツＩＤを受信し、サーバ制御部１３が、サーバ側通信部１１が受信したサブコンテンツＩＤと、現在通信中のユーザのユーザＩＤとをアカウント管理部１７に送信する。アカウント管理部１７は、受信したユーザＩＤとサブコンテンツＩＤとを対応付け、マイメニュー情報としてアカウント情報格納部１６に格納する。
【０２３５】
上記登録を行なったユーザが、配信メニュー画面３６０において、呼出ボタン３６２をタッチすると、キオスク端末制御部３４はそのタッチを受け付け、キオスク端末側第１通信部３１を介し、コンテンツ配信サーバ１０に、マイメニューの送信を要求する。
【０２３６】
コンテンツ配信サーバ１０では、サーバ側通信部１１がマイメニューの要求を受信し、サーバ制御部１３がサーバ側通信部１１が受信したマイメニューの要求と現在通信中のユーザのユーザＩＤとをアカウント管理部１７に送信する。アカウント管理部１７は、受信したユーザＩＤに対応するマイメニュー情報をアカウント情報格納部１６から読み出す。
【０２３７】
サーバ制御部１３は、アカウント管理部１７が読み出したマイメニュー情報をサーバ側通信部１１を介してキオスク端末３０に送信する。キオスク端末３０ではキオスク端末側第１通信部３１がマイメニュー情報を受信し、キオスク端末制御部３４がキオスク端末側第１通信部３１が受信したマイメニュー情報に基づき図２７に示すマイメニュー表示画面３８０が表示される。
【０２３８】
図２７に示すマイメニュー表示画面３８０は、ユーザがマイメニューに登録したサブコンテンツ群を表示する。また取得ボタン３８２が表示され、ユーザは、取得ボタン３８２をタッチすることにより、マイメニューに登録したサブコンテンツを取得することができる。
【０２３９】
こうすることで、ユーザのコンテンツ取得に対する自由度が増え、また、ユーザの好みのサブコンテンツの組み合わせを簡単な操作で呼び出せることにより、ユーザは簡単にいつでも好みのサブコンテンツのみ取得することができ、ユーザにとっての利便性が向上する。
【０２４０】
なお、図２６に示したマイメニュー登録画面３７０は、ユーザにサブコンテンツ単位でマイメニューに登録させるための画面であるが、コンテンツ単位でも簡単に登録できるような画面であってもよい。例えば、コンテンツ名の横にも選択のためのチェックボックスを設けておき、そのチェックボックスがチェックされるとそのコンテンツに含まれるすべてのサブコンテンツが選択されるような画面であってもよい。
【０２４１】
こうすることで、例えば、コンテンツ「ＡＢＣ新聞」のすべてのサブコンテンツと、コンテンツ「週刊サッカーＦＣ」のサブコンテンツ「コラム」との組み合わせといった、コンテンツとサブコンテンツの混在する組み合わせが簡単に登録でき、ユーザにとっての利便性が更に向上する。
【０２４２】
また、コンテンツ取得時のコンテンツ選択方法として、上述のマイメニューのような、ユーザの選択によるコンテンツまたはサブコンテンツの組み合わせだけでなく、予め組み合わせが登録されたコンテンツセットがあってもよい。
【０２４３】
例えば「スポーツセット」と称し、スポーツ新聞やスポーツ系雑誌等のコンテンツの組み合わせを予め登録しておき、ボタン一つでユーザが取得できるようにしてもよい。また更に「ＡＬＬセット」と称し、その時に取得可能なすべてのコンテンツの組み合わせを予め登録しておき、ユーザがボタン一つで取得できるようにしてもよい。
【０２４４】
本発明の実施の形態のコンテンツ配信システムは、コンテンツの取得自体には課金しないため、ユーザに大雑把にコンテンツを取得させたとしても、ユーザに経済的な負担を与える事にはならない。そのため、上記のようなコンテンツセットは、とりあえず見てみたいと考えるユーザや、朝の通勤時など時間的余裕がない場合などで、とにかく簡単にコンテンツを取得したいと考えるユーザにとっては便利な機能となる。
【０２４５】
また、ユーザがサブコンテンツを閲覧する場合、閲覧端末５０において図１３に示した閲覧メニュー画面５００に表示されたコンテンツの中から、閲覧するコンテンツを選択し、更に図１４に示した閲覧コンテンツ内容表示画面５１０に表示されたサブコンテンツの中から閲覧するサブコンテンツを選択し、閲覧端末５０に表示させる手法を説明した。
【０２４６】
しかしながら、ユーザが閲覧するコンテンツを閲覧端末５０に表示させる手法は別の手法であってもよい。
【０２４７】
例えば、ユーザにより自由に決定されるキーワードにより、ユーザが取得したコンテンツを検索し、該当するサブコンテンツの中からユーザに選択させる手法であってもよい。この手法は閲覧端末制御部５４に検索機能を持たせることで実現する。
【０２４８】
図２８に示す検索画面５４０は、閲覧端末５０の表示部５５が表示する、ユーザが取得したコンテンツを対象とした検索を行うための画面の一例であり、階層表示欄５１１と、検索キーワード入力欄５４１と、検索実行ボタンと、ソフトウェアキーボード５４３とが表示されている。
【０２４９】
ユーザは、入力部５６を操作することにより、ソフトウェアキーボード５４３を利用し、検索キーワード入力欄５４１にキーワードを入力する。キーワードの入力後、ユーザにより検索実行ボタン５４２がクリックされると、閲覧端末制御部５４はそのクリックと検索キーワード入力欄５４１に入力されたキーワードとを受け付ける。
【０２５０】
閲覧端末制御部５４は、閲覧端末側通信部５２を介し、ＩＣカード４０の取得コンテンツ格納部４４に格納されている全てのサブコンテンツを対象に検索キーワード入力欄５４１に入力されたキーワードで検索を行う。
【０２５１】
図２９に示す検索結果画面５５０は、閲覧端末５０の表示部５５が表示する、検索結果を表示するため画面の一例であり、階層表示欄５１１と、該当件数表示欄５５１と、検索結果リスト表示欄５５２とが表示されている。
【０２５２】
階層表示欄５１１には、「検索：「文化」」と表示されており、キーワード「文化」で検索を行った場合をの検索結果を表示していることを示している。また、該当件数表示欄５５１には「２件」と表示されており、検索結果リスト表示欄５５２にはその該当した２件のサブコンテンツの要約が表示されている。
【０２５３】
ユーザは、入力部５６を操作し、閲覧を所望するサブコンテンツをクリックすることで、そのサブコンテンツを閲覧することができる。
【０２５４】
こうすることで、ユーザはコンテンツ取得時にとりあえず多くのコンテンツを取得しておき、検索することで閲覧するサブコンテンツの候補を絞り込むことができる。つまり、上記検索機能はユーザのコンテンツ取得に対する気軽さを担保することとなる。
【０２５５】
また、上記の検索機能において、ユーザが検索キーワードを登録でき、検索時に呼び出せる機能があってもよい。検索キーワードは、閲覧端末５０に備えられた格納部、例えば利用実績情報格納部４５に格納させておけばよく、こうすることで、ユーザがよく検索に使用するキーワードを登録でき、ユーザは検索の際にキーワードの入力を行う必要がなく、検索をクリックのみで行うことができる。つまり、検索機能の利便性が向上する。
【０２５６】
また、図１７に示した、サブコンテンツ閲覧後の閲覧コンテンツ内容表示画面５１０では、閲覧済みのサブコンテンツをユーザに明示するために、サブコンテンツの要約文の左にチェックが付され、閲覧料金に括弧が付されているが、閲覧済みのサブコンテンツをユーザに明示する手法は別の方法であってもよい。
【０２５７】
例えば、未読のサブコンテンツは青色の文字で表示し、閲覧済みのサブコンテンツは黒色で表示するなど、文字の色を変える手法であってもよい。また、図１３に示した閲覧メニュー画面５００において、コンテンツ名の文字を変えてもよい。
【０２５８】
例えば、閲覧メニュー画面５００において、コンテンツ「ＡＢＣ新聞」に含まれる全てのサブコンテンツが未読である場合は、「ＡＢＣ新聞」の文字を青色とし、一つでもサブコンテンツが閲覧済みの場合は、「ＡＢＣ新聞」の文字を緑色とし、全てのサブコンテンツが閲覧済みの場合は「ＡＢＣ新聞」の文字を黒色としてもよい。  こうすることで、ユーザはコンテンツ及びサブコンテンツの未読・既読を視覚的に捕らえ易くなる。
【０２５９】
また閲覧端末５０は、上述のようにユーザに携行させるだけではなく、所定の場所に設置しておいてもよい。例えば、電車車両の座席後部、つまり人が座席に座った場合の正面の位置に設置された閲覧端末５０があれば、ユーザは閲覧端末５０を携行する必要がなく、ユーザはＩＣカード４０さえ携行しておけば、駅構内に設置されたキオスク端末３０でコンテンツを取得し、移動中にコンテンツを楽しむことができる。
【０２６０】
また、コンテンツの閲覧は閲覧端末５０以外の装置でもよい。例えばパーソナルコンピュータ（ＰＣ）にコンテンツ閲覧のためのソフトウェアと、ＰＣからＩＣカード４０のデータを読み書きするためのリーダ／ライタを備えたＰＣでもよい。
【０２６１】
こうすることで、ユーザのコンテンツを閲覧する装置の選択に対する自由度が増え、ユーザが自身の好みや行動様式に沿った閲覧装置を選択することができる。
【０２６２】
また、閲覧端末５０がキオスク端末３０の機能を備えてもよい。つまり、コンテンツ配信サーバ１０と直接通信できる通信機能を持ち、閲覧端末制御部５４が、ユーザが行なう、取得コンテンツの選択や閲覧料金の精算を受け付け、処理する機能をもてばよい。
【０２６３】
この場合においても閲覧端末５０は閲覧端末側ＰＫＩ認証部５３を備えているため、強固な個人認証が可能である。こうすることで、ユーザは閲覧端末５０がコンテンツ配信サーバ１０と通信可能な場所であればコンテンツの取得や閲覧料金の精算を行なうことができ、利便性が向上する。
【０２６４】
また、ユーザは、コンテンツ配信サーバ１０の配信コンテンツ格納部１４に格納されているコンテンツをキオスク端末３０を介して取得するとしたが、キオスク端末３０に保存されたコンテンツを取得するとしてもよい。この場合、キオスク端末３０はコンテンツを一時的に格納する一時格納部を備えればよく、コンテンツ配信サーバ１０から定期的に、その時点で配信可能なコンテンツを一括してダウンロードして一時格納部に格納しておけばよい。また、ユーザに人気のあるコンテンツのみダウンロードしておくなどでもよい。
【０２６５】
こうすることで、ユーザがコンテンツを取得する際に、コンテンツ自体はネットワーク通信網１００を介さずに取得することができ、ユーザが取得したコンテンツを特定する情報のみネットワーク通信網１００を介し、キオスク端末３０がコンテンツ配信サーバ１０に送信すればよい。つまり、ユーザがコンテンツ取得に要する時間を短縮できる。
【０２６６】
また、コンテンツ配信サーバ１０が配信するコンテンツは、上述の実施の形態の説明において用いた例のようなテキストデータで構成されたコンテンツだけでなく、音声や動画を含むコンテンツであってもよい。さらにそれらの組み合わせであってもよい。この場合は閲覧端末５０が、それら音声や動画を出力するためのソフトエアや処理部を保持していればよい。
【０２６７】
こうすることで、ユーザのコンテンツ取得時または閲覧時の選択肢が増え、またコンテンツプロバイダにとってもユーザを獲得するためのコンテンツの作成の選択肢が増えることとなる。
【０２６８】
また、キオスク端末３０は、情報を表示する表示部としてタッチパネル３５を備えるが、ユーザに情報を伝える手段として、情報を音として出力させるための音声出力部や、情報を紙に印刷し出力させるための印刷出力部を備えてもよい。
【０２６９】
こうすることで、例えば、操作エラーやコンテンツ取得完了をユーザに音で知らせることや、タッチパネル３５が表示する情報と同等の情報を、音声や紙媒体でユーザに知らせることが可能となる。その結果、キオスク端末３０のユーザに対する利便性が向上する。
【０２７０】
また、ＩＣカード４０は、ＩＣカード４０自身に電源を備えておらず、キオスク端末３０や閲覧端末５０と通信を行う際は、各装置から電力を供給されることにより処理を行っているが、ＩＣカード４０自身が電源を備えてもよい。
【０２７１】
こうすることで例えば、ＩＣカード４０自身に電子ペーパのような表示部や、ユーザからの指示等を受け付ける受付部や、フィルムスピーカのような音声出力部を設け、ＩＣカード４０自体を閲覧端末として使用でき、コンテンツ閲覧に関わる装置の携行性が飛躍的に向上することとなる。
【０２７２】
また、電源を持つことでＩＣカード４０自身が時計機能をそなえることができる。本実施の形態では、未読のサブコンテンツは、ユーザがキオスク端末３０にて能動的に削除を行うこととしているが、ＩＣカード４０が時計機能を備えることにより、例えば、未読のコンテンツは１週間で自動的に削除するといったことが可能であり、ユーザは未読のサブコンテンツの削除を気にすることはない。
【０２７３】
この場合は、コンテンツ配信サーバ１０側でも、精算されないサブコンテンツは送信後１週間でＩＣカード４０から削除されたと認識すればよい。また、ＩＣカード４０の時計機能は、コンテンツ取得時など、ＩＣカード４０とコンテンツ配信サーバ１０との間で通信を行う際に、コンテンツ配信サーバ１０の時計機能とその時刻の同期をとればよい。
【０２７４】
また、ＩＣカード４０は接触型ＩＣカードであり、キオスク端末３０と閲覧端末５０とはそれぞれカードスロットを備えているが、ＩＣカード４０は非接触型のＩＣカードであってもよい。この場合、キオスク端末３０と閲覧端末５０とはそれぞれ、ＩＣカード４０と無線による通信が可能な通信部をもてばよい。
【０２７５】
こうすることで、ユーザはコンテンツの取得及び閲覧時にＩＣカード４０をカードスロットに挿入する手間がなくなり、また、ＩＣカード４０においても他の装置との接触による磨耗を避けることができるという利点を有する。
【０２７６】
また、図２２に示した精算情報は、ユーザに閲覧料金の請求を行なう基礎となる情報であるとともに、コンテンツ配信サーバ１０がユーザの要求に応じて送信したコンテンツ及びサブコンテンツの送信履歴情報でもある。つまり、ユーザから見ると、ユーザが取得したコンテンツ及びサブコンテンツの取得履歴情報でもある。
【０２７７】
従って、この精算情報を用い、ユーザが取得したコンテンツ及びサブコンテンツの履歴である取得履歴をユーザが確認できる手段をキオスク端末３０に設けてもよい。例えば、この精算情報をキオスク端末３０が取得し利用することで、ユーザが取得履歴を確認できる画面をキオスク端末３０のタッチパネル３５に表示させてもよい。
【０２７８】
この取得履歴を確認できる画面は、ユーザがコンテンツを取得する際や閲覧料金の精算を行なう際に、タッチパネル３５に表示させてもよい。その表示内容は、音として、または紙に印刷されることにより出力されてもよい。こうすることで、ユーザは、ユーザ自身が過去に取得したコンテンツ及びサブコンテンツを確認でき、ユーザにとって不要なコンテンツまたはサブコンテンツの再取得を防ぐことができる。例えば、出勤前に毎日コンテンツの取得を行なうユーザは、取得履歴を確認することにより、週刊のコンテンツのように、毎日更新されないコンテンツを再取得してしまうことを防ぐことができる。
【０２７９】
結果として、取得するデータの全体量を減らすことができ、ＩＣカード４０におけるコンテンツおよびサブコンテンツの格納部である取得コンテンツ格納部４４を効率的に使用することができる。
【０２８０】
また、図７に示したキオスク端末３０の配信メニュー画面３００等の画面に、取得履歴を確認できる画面を表示させるボタンを設け、ユーザにそのボタンがタッチされることにより、表示させてもよい。
【０２８１】
また、同じく精算情報を利用し、ユーザがコンテンツ及びサブコンテンツの取得を行なう際、取得を所望するコンテンツまたはサブコンテンツが、過去に送信歴のあるコンテンツまたはサブコンテンツである場合、コンテンツ配信サーバ１０は、既に送信したコンテンツまたはサブコンテンツを送信しなくてもよい。つまり、コンテンツ配信サーバ１０は、そのユーザに対してまだ送信していないコンテンツまたはサブコンテンツのみをキオスク端末３０へ送信する。または、コンテンツ配信サーバ１０がキオスク端末３０を介し、ユーザが取得を所望するコンテンツまたはサブコンテンツの中に、そのユーザに対して既に送信されたコンテンツまたはサブコンテンツがある旨をユーザに通知し、既に送信されたコンテンツまたはサブコンテンツを再取得するか否かの確認をとった上で、ユーザに再取得を行なわせてもよい。
【０２８２】
また、上述のように、ＩＣカード４０が表示部を備える場合、ＩＣカード４０に精算情報を取得させ、取得履歴を確認できる画面をＩＣカード４０の表示部に表示させてもよい。音声出力部を備える場合、その表示内容は音として出力されてもよい。さらに、ＩＣカード４０が表示部と受付部とを備える場合、コンテンツ配信サーバ１０がＩＣカード４０を介し、取得歴のあるコンテンツまたはサブコンテンツの通知及び再取得の確認等を行なってもよい。
【０２８３】
これら上述の、キオスク端末３０またはＩＣカード４０によりユーザに取得履歴を確認させる、または、コンテンツ配信サーバ１０が取得履歴と重複するコンテンツまたはサブコンテンツを送信しない、若しくは通知した上で再取得させることでも、ユーザが不要なコンテンツ及びサブコンテンツを再取得することを防止することができる。
【０２８４】
また、ユーザが取得したコンテンツの記憶媒体としてＩＣカード４０を用いたが、記憶媒体はＩＣカード４０でなくてもよく、コンテンツ及び利用実績の記憶とキオスク端末３０及び閲覧端末５０との通信が可能であれば別の記憶媒体であってもよい。
【０２８５】
ＩＣカード４０以外の装置をコンテンツの記憶媒体として用いる場合は、キオスク端末３０及び閲覧端末５０がそれぞれ、コンテンツの記憶手段として用いられる装置に対応した接続部を持てばよく、接触、非接触を問わない。また、コンテンツ等の情報の書込み、読み出しについては、キオスク端末３０及び閲覧端末５０が能動的に行なえばよい。
【０２８６】
また、サブコンテンツの閲覧料金の決済は、ユーザの指定する金融機関等の口座にて月に一度行なわれるとしたが、これはリアルタイムに決済が行なわれてもよく、コンテンツ配信サーバ１０がオンラインで各金融機関とデータのやり取りを行う手段をもてばよい。
【０２８７】
また、上記決済に関しては、金融機関の各口座で行なわず、ＩＣカード４０に電子マネー機能を持たせＩＣカード４０自身が行なってもよい。つまりＩＣカード４０に貨幣価値データを記憶させておき、キオスク端末３０にて精算の際に精算額に対応する貨幣価値データをＩＣカード４０が持つ貨幣価値データから減じ、精算結果をコンテンツ配信サーバ１０に通知する機能をキオスク端末３０が持てばよい。さらに、キオスク端末３０にてユーザが現金で貨幣価値データをＩＣカード４０に追加する機能があってもよい。
【０２８８】
こうすることで、ユーザは現金感覚でサブコンテンツの閲覧を行なう事が出来、ＩＣカード４０入手時に、金融機関での決済に必要な手続きを行なう必要がないため、手軽にＩＣカード４０を入手することができる。
【０２８９】
また、各サブコンテンツには閲覧料金が規定されているが、無料のサブコンテンツまたはコンテンツがあってもよい。例えば、コンテンツに広告を挿入することにより広告料収入によりコンテンツの閲覧を無料にするといった運営も可能である。こうすることで、ユーザに対するサービスにもなり、ユーザの獲得に有利な手段ともなる。
【０２９０】
また、閲覧料金の課金は、サブコンテンツ単位としたが、これは別の単位でもよく、例えば文字数単位やデジタルデータの容量の単位であるｂｙｔｅ（バイト）単位でもよい。つまり長文の記事や動画など容量の大きなコンテンツほど閲覧料金が高くなることになり、ユーザにとって分かり易い料金体系となる。また、コンテンツ単位の課金でもよい。
【０２９１】
また、コンテンツの取得に際して、ＩＣカード４０に保存されているコンテンツ数やサブコンテンツ数の合計に制限を設けてはいないが、制限を設けてもよい。例えば、取得するコンテンツに含まれるサブコンテンツの閲覧料金の合計が１，０００円までとしたり、コンテンツの本数を５本までとしてもよい。
【０２９２】
こうすることで、ユーザに、未読のサブコンテンツの早期の削除を促すことができる。
また、ユーザは、取得したコンテンツを閲覧端末５０を用いて閲覧のみ行なうとしたが、閲覧端末５０または別途記憶装置に取得したコンテンツを記憶できてもよい。閲覧せずに保存したコンテンツ、サブコンテンツはユーザが閲覧したものとみなし精算が行なわれればよい。閲覧端末５０に保存する場合は、閲覧端末５０がコンテンツを記憶するための記憶装置を持てばよい。
【０２９３】
コンテンツの取得時は、既読のサブコンテンツがＩＣカード４０から削除されるが、こうすることで、ユーザは、時間の都合などで後で閲覧したいコンテンツやサブコンテンツがあった場合、保存しておくことができる。
【０２９４】
また、既読のコンテンツ及びサブコンテンツは、キオスク端末３０にて精算処理を行なう際にＩＣカード４０から削除されるとしたが、コンテンツまたはサブコンテンツが閲覧端末５０に表示された後に、ＩＣカード４０がその表示されたコンテンツまたはサブコンテンツを削除してもよい。ユーザが閲覧端末５０に表示させたサブコンテンツを特定する情報は、図１８に示した利用実績情報として記録されるため、その後の精算には影響しない。
【０２９５】
こうすることで、新たなコンテンツの取得時に行なわれる精算処理の速度が向上する。
【産業上の利用可能性】
【０２９６】
本発明に係わるコンテンツ配信装置、ＩＣカード及びコンテンツ閲覧装置は、デジタルコンテンツの販売を行なうコンテンツ販売システムとして利用できる。
【図面の簡単な説明】
【０２９７】
【図１】実施の形態のコンテンツ配信システムのハードウェア構成図である
【図２】コンテンツ配信システムの処理の流れを示す概要図である。
【図３】コンテンツ配信システムの機能的な構成を示す機能ブロック図である。
【図４】配信コンテンツ情報のデータ構成の一例を示す図である。
【図５】ユーザ情報のデータ構成の一例を示す図である。
【図６】コンテンツを取得する際のＩＣカードとキオスク端末とコンテンツ配信サーバとの間で行なわれるデータのやり取り及び動作の流れを示すシーケンス図である。
【図７】キオスク端末のタッチパネルに表示される配信メニュー画面の一例を示す図である。
【図８】キオスク端末のタッチパネルに表示される取得確認ダイアログボックスの一例を示す図である。
【図９】精算情報のデータ構成の一例を示す図である。
【図１０】取得コンテンツ情報のデータ構成の一例を示す図である。
【図１１】キオスク端末のタッチパネルに表示される内容確認画面の一例を示す図である。
【図１２】コンテンツを閲覧する際のＩＣカードと閲覧端末との間で行なわれるデータのやり取り及び動作の流れを示すシーケンス図である。
【図１３】閲覧端末の表示部に表示される閲覧メニュー画面の一例を示す図である。
【図１４】閲覧端末の表示部に表示される閲覧コンテンツ内容表示画面の一例を示す図である。
【図１５】閲覧端末の表示部に表示される閲覧確認ダイアログボックスの一例を示す図である。
【図１６】閲覧端末の表示部に表示されるサブコンテンツ表示画面の一例を示す図である。
【図１７】閲覧端末の表示部に表示される閲覧コンテンツ内容表示画面の別の一例を示す図である。
【図１８】利用実績情報のデータ構成の一例を示す図である。
【図１９】ユーザがサブコンテンツの閲覧料金を精算する際のＩＣカードとキオスク端末とコンテンツ配信サーバとの間で行なわれるデータのやり取り及び、動作の流れを示すシーケンス図である。
【図２０】キオスク端末のタッチパネルに表示される精算画面の一例を示す図である。
【図２１】キオスク端末のタッチパネルに表示される精算確認ダイアログボックスの一例を示す図である。
【図２２】精算情報のデータ構成の別の一例を示す図である。
【図２３】コンテンツ取得時に精算を行なう際のＩＣカードとキオスク端末とコンテンツ配信サーバとの間で行なわれるデータのやり取り及び動作の流れを示すシーケンス図である。
【図２４】キオスク端末のタッチパネルに表示される精算画面の別の一例を示す図である。
【図２５】キオスク端末のタッチパネルに表示される配信メニュー画面の別の一例を示す図である。
【図２６】キオスク端末のタッチパネルに表示されるマイメニュー登録画面の一例を示す図である。
【図２７】キオスク端末のタッチパネルに表示されるマイメニュー表示画面の一例を示す図である。
【図２８】閲覧端末の表示部に表示される検索画面の一例を示す図である。
【図２９】閲覧端末の表示部に表示される検索結果画面の一例を示す図である。
【符号の説明】
【０２９８】
１    コンテンツ配信システム
１０    コンテンツ配信サーバ
１１    サーバ側通信部
１２    サーバ側ＰＫＩ認証部
１３    サーバ制御部
１４    配信コンテンツ格納部
１５    コンテンツ管理部
１６    アカウント情報格納部
１７    アカウント管理部
１８    請求管理部
３０    キオスク端末
３１    キオスク端末側第１通信部
３２    キオスク端末側カードスロット
３３    キオスク端末側第２通信部
３４    キオスク端末制御部
３５    タッチパネル
３６    表示用情報格納部
４０    ＩＣカード
４１    通信端子
４２    カード側ＰＫＩ認証部
４３    カード制御部
４４    取得コンテンツ格納部
４５    利用実績情報格納部
５０    閲覧端末
５１    閲覧端末側カードスロット
５２    閲覧端末側通信部
５３    閲覧端末側ＰＫＩ認証部
５４    閲覧端末制御部
５５    表示部
５６    入力部
１００    ネットワーク通信網
【図１】
2006113685.tif 000003
【図２】
2006113685.tif 000004
【図３】
2006113685.tif 000005
【図４】
2006113685.tif 000006
【図５】
2006113685.tif 000007
【図６】
2006113685.tif 000008
【図７】
2006113685.tif 000009
【図８】
2006113685.tif 000010
【図９】
2006113685.tif 000011
【図１０】
2006113685.tif 000012
【図１１】
2006113685.tif 000013
【図１２】
2006113685.tif 000014
【図１３】
2006113685.tif 000015
【図１４】
2006113685.tif 000016
【図１５】
2006113685.tif 000017
【図１６】
2006113685.tif 000018
【図１７】
2006113685.tif 000019
【図１８】
2006113685.tif 000020
【図１９】
2006113685.tif 000021
【図２０】
2006113685.tif 000022
【図２１】
2006113685.tif 000023
【図２２】
2006113685.tif 000024
【図２３】
2006113685.tif 000025
【図２４】
2006113685.tif 000026
【図２５】
2006113685.tif 000027
【図２６】
2006113685.tif 000028
【図２７】
2006113685.tif 000029
【図２８】
2006113685.tif 000030
【図２９】
2006113685.tif 000031